(57)【特許請求の範囲】
【請求項１】
複数のコンテンツデータが蓄積される蓄積手段と、
上記蓄積手段に蓄積されている複数のコンテンツデータからコンテンツデータを選択するためのコンテンツデータ選択信号に基づいて、上記蓄積手段に蓄積されている複数のコンテンツデータから少なくとも一のコンテンツデータを選択する選択手段と、
利用者毎に、該利用者を識別する利用者識別情報に対応づけて、パッケージメディアの総購入数を表す総購入数情報を記憶する購入履歴記憶手段と、
上記利用者識別情報とパッケージメディアを識別するためのパッケージメディア識別情報とを外部機器から受信したときに、上記パッケージメディア識別情報及びパッケージメディア識別情報蓄積手段に蓄積された識別情報に基づいて、上記パッケージメディアがサービス対象かを判別する判別手段と、
上記判別手段の判別結果に基づいて、上記パッケージメディアがサービス対象であった場合、上記利用者識別情報に対応する上記総購入数情報を更新する更新手段と、
上記総購入数情報に基づいて、利用者が上記選択手段により選択されるコンテンツデータを利用するときに、パッケージメディアの総購入数が所定数よりも少ない利用者に対しては第１の課金金額を、パッケージメディアの総購入数が上記所定数以上の利用者に対しては上記第１の課金金額よりも少ない第２の課金金額を課金するためのデータである課金データを利用者識別情報毎に生成する課金手段と、
を備える通信装置。
【請求項２】
上記課金手段は、上記課金データとして割引金額を生成することを特徴とする請求項１記載の通信装置。
【請求項３】
上記課金手段は、上記課金データとして割引金額を差し引いた課金金額を生成することを特徴とする請求項１記載の通信装置。
【請求項４】
上記課金手段は、上記課金金額が０円となる課金データを生成することを特徴とする請求項３記載の通信装置。
【請求項５】
上記利用者識別情報及び上記パッケージメディア識別情報に基づいて、上記パッケージメディアを購入した利用者が利用可能な上記パッケージメディアに関するデータを抽出する抽出手段を備えることを特徴とする請求項１記載の通信装置。
【請求項６】
入力手段から入力される利用者識別情報と外部機器に蓄積されている複数のコンテンツデータからコンテンツデータを選択するためのコンテンツデータ選択信号とを上記外部機器へ送信する送信手段と、
上記コンテンツデータ選択信号に基づいて選択されたコンテンツデータと、上記利用者のパッケージメディアの総購入数情報とを受信する受信手段と、
上記総購入数情報に基づいて、上記受信したコンテンツデータを利用するときに、パッケージメディアの総購入数が所定数よりも少ないときは第１の課金金額を、パッケージメディアの総購入数が上記所定数以上のときは上記第１の課金金額よりも少ない第２の課金金額を課金するためのデータである課金データを生成する課金手段と、
を備える通信装置。
【請求項７】
上記通信装置は更に、パッケージメディアからパッケージメディアを識別するためのパッケージメディア識別情報を読み出す読出し手段を備え、
上記送信手段は、上記パッケージメディア識別情報を外部機器へ送信することを特徴とする請求項６記載の通信装置。
【請求項８】
上記通信装置は更に、上記受信したコンテンツデータを記憶手段に記憶させる記憶制御手段を備え、
上記課金手段は、上記受信したコンテンツデータを上記記憶手段に記憶させるときに、上記課金データを生成することを特徴とする請求項６記載の通信装置。
【請求項９】
上記通信装置は更に、上記受信したコンテンツデータを再生手段に再生させる再生制御手段を備え、上記課金手段は、上記受信したコンテンツデータを上記再生手段に再生させるときに、上記課金データを生成することを特徴とする請求項６記載の通信装置。
【請求項１０】
上記課金手段は、上記課金データとして割引金額を生成することを特徴とする請求項６記載の通信装置。
【請求項１１】
上記課金手段は、上記課金データとして割引金額を差し引いた課金金額を生成することを特徴とする請求項６記載の通信装置。
【請求項１２】
上記課金手段は、上記課金金額が０円となる課金データを生成することを特徴とする請求項１１記載の通信装置。
【請求項１３】
複数のコンテンツデータが蓄積される蓄積手段と、
上記蓄積手段に蓄積されている複数のコンテンツデータからコンテンツデータを選択するためのコンテンツデータ選択信号に基づいて、上記蓄積手段に蓄積されている複数のコンテンツデータから少なくとも一のコンテンツデータを選択する選択手段と、
利用者を識別するための利用者識別情報と対応づけて上記複数のコンテンツデータの総利用回数を表す総利用回数情報を記憶する購入履歴記憶手段と、
上記選択されたコンテンツデータを利用者端末に送信したときに、上記利用者識別情報に対応する総利用回数情報を更新する更新手段と、
上記総利用回数情報に基づいて、パッケージメディアを上記利用者が購入するときに、総利用回数が所定数よりも少ない利用者に対しては第１の課金金額を、総利用回数が上記所定数以上の利用者に対しては上記第１の課金金額よりも少ない第２の課金金額を課すためのデータである課金データを上記利用者識別情報毎に生成する課金手段と、
を備える通信装置。
【請求項１４】
上記課金手段は、上記課金データとして割引金額を生成することを特徴とする請求項１３記載の通信装置。
【請求項１５】
上記課金手段は、上記課金データとして割引金額を差し引いた課金金額を生成することを特徴とする請求項１３記載の通信装置。
【請求項１６】
入力手段から入力される利用者識別情報と外部機器に蓄積されている複数のコンテンツデータからコンテンツデータを選択するためのコンテンツデータ選択信号とを上記外部機器へ送信する送信手段と、
上記コンテンツデータ選択信号に基づいて選択されたコンテンツデータと、上記利用者識別情報に対応するコンテンツデータの総利用回数を表す総利用回数情報を受信する受信手段と、
上記総利用回数情報に基づいて、パッケージメディアを上記利用者が購入するときに、総利用回数が所定数より小さいときは第１の課金金額を、総利用回数が上記所定数以上のときは上記第１の課金金額より少ない第２の課金金額を、上記利用者に課すためのデータである課金データを生成する課金手段と、
を備える通信装置。
【請求項１７】
上記課金手段は、上記課金データとして割引金額を生成することを特徴とする請求項１６記載の通信装置。
【請求項１８】
上記課金手段は、上記課金データとして割引金額を差し引いた課金金額を生成することを特徴する請求項１６記載の通信装置。
【請求項１９】
上記通信装置は更に、上記課金データを出力手段に紙で出力させる出力制御手段を備えることを特徴とする請求項１６記載の通信装置。
【請求項２０】
蓄積手段に蓄積された複数のコンテンツデータからコンテンツデータを選択するためのコンテンツデータ選択信号に基づいて、選択手段が上記複数のコンテンツデータから少なくとも一のコンテンツデータを選択する選択ステップと、
記憶手段に、該利用者を識別するための利用者識別情報と対応づけて、パッケージメディアの総購入数情報を記憶する購入履歴記憶ステップと、
上記利用者識別情報とパッケージメディアを識別するためのパッケージメディア識別情報を受信したときに、判別手段が上記パッケージメディア識別情報及びパッケージメディア識別情報蓄積手段に蓄積された識別情報に基づいて、上記パッケージメディアがサービス対象かを判別する判別ステップと、
上記判別手段の判別結果に基づいて、上記パッケージメディアがサービス対象であった場合、上記判別手段が、上記利用者識別情報に対応する上記総購入数情報を更新する更新ステップと、
上記判別手段が、上記総購入数情報に基づいて、利用者が上記選択手段により選択されるコンテンツデータを利用するときに、パッケージメディアの総購入数が所定数よりも少ない利用者に対して第１の課金金額を、パッケージメディアの総購入数が所定数以上の利用者に対して上記第１の課金金額よりも少ない第２の課金金額を課金するためのデータである課金データを利用者識別情報毎に生成する課金ステップと、
を備える通信方法。
【請求項２１】
上記課金ステップにおける上記課金データは、割引金額であることを特徴とする請求項２０記載の通信方法。
【請求項２２】
上記課金ステップにおける上記課金データは、割引金額を差し引いた課金金額であることを特徴とする請求項２０記載の通信方法。
【請求項２３】
上記課金ステップでは、上記課金金額が０円となる課金データを生成することを特徴とする請求項２２記載の通信方法。
【請求項２４】
上記利用者識別情報及び上記パッケージメディア識別情報に基づいて、上記パッケージメディアを購入した利用者が利用可能な上記パッケージメディアに関するデータを抽出する抽出ステップを備えることを特徴とする請求項２０記載の通信装置。
【請求項２５】
通信インタフェースを介して、入力される利用者情報と外部機器に蓄積されている複数のコンテンツデータからコンテンツデータを選択するためのコンテンツデータ選択信号とを上記外部機器へ送信する送信ステップと、
通信インタフェースを介して、上記コンテンツデータ選択信号に基づいて選択されたコンテンツデータと、上記利用者のパッケージメディアの総購入数情報とを受信する受信ステップと、
課金処理部が、上記総購入数情報に基づいて、上記受信したコンテンツデータを利用するときに、パッケージメディアの総購入数が所定数よりも少ないときは第１の課金金額を、パッケージメディアの総購入数が所定数以上のときは上記第１の課金金額よりも少ない第２の課金金額を課金するためのデータである課金データを生成するステップと、
を備える通信方法。
【請求項２６】
上記通信方法は更に、パッケージメディアからパッケージメディアを識別するためのパッケージメディア識別情報を記憶部に読み出す読出しステップを備え、
上記送信ステップでは、上記パッケージメディア識別情報を外部機器へ送信することを特徴とする請求項２５記載の通信方法。
【請求項２７】
上記通信方法は更に、上記受信したコンテンツデータを記憶部に記憶させる記憶制御ステップを備え、
上記課金データは、上記受信したコンテンツデータを上記記憶部に記憶させるときに、上記利用者に課す課金金額に関するデータであることを特徴とする請求項２５記載の通信方法。
【請求項２８】
上記通信方法は更に、上記受信したコンテンツデータを再生手段に再生させる再生制御ステップを備え、
上記課金データは、上記受信したコンテンツデータを上記再生手段に再生させるときに、上記利用者に課す課金金額に関するデータであることを特徴とする請求項２５記載の通信方法。
【請求項２９】
上記課金データは割引金額であることを特徴とする請求項２５記載の通信方法。
【請求項３０】
上記課金データは割引金額を差し引いた課金金額であることを特徴とする請求項２５記載の通信方法。
【請求項３１】
上記課金ステップでは、上記課金金額が０円となる課金データを生成することを特徴とする請求項３０記載の通信方法。
【請求項３２】
蓄積手段に蓄積された複数のコンテンツデータからコンテンツデータを選択するためのコンテンツデータ選択信号に基づいて、選択手段が上記複数のコンテンツデータから少なくとも一のコンテンツデータを選択する選択ステップと、
記憶手段に、利用者を識別するための利用者識別情報と対応づけて上記複数のコンテンツデータの総利用回数情報を記憶する購入履歴記憶ステップと、
制御手段が、上記選択されたコンテンツデータを利用者端末に送信したときに、上記利用者識別情報に対応する総利用回数情報を更新する更新ステップと、
上記制御手段が、上記総利用回数情報に基づいて、パッケージメディアを上記利用者が購入するときに、総利用回数が所定数よりも少ない利用者に対しては第１の課金金額を、総利用回数が上記所定数以上の利用者に対しては上記第１の課金金額よりも少ない第２の課金金額を課すためのデータである課金データを生成する課金ステップと、
を備える通信方法。
【請求項３３】
上記課金ステップは、上記課金データとして割引金額を生成することを特徴とする請求項３２記載の通信方法。
【請求項３４】
上記課金ステップは、上記課金データとして割引金額を差し引いた課金金額を生成することを特徴とする請求項３２記載の通信方法。
【請求項３５】
通信インタフェースを介して、入力手段から入力される利用者識別情報と外部機器に蓄積されている複数のコンテンツデータからコンテンツデータを選択するためのコンテンツデータ選択信号とを外部機器へ送信する送信ステップと、
通信インタフェースを介して、上記コンテンツデータ選択信号に基づいて選択されたコンテンツデータと、上記利用者識別情報に対応するコンテンツデータの総利用回数情報を表す総利用回数情報を受信する受信ステップと、
課金処理部が、上記総利用回数情報に基づいて、パッケージメディアを上記利用者が購入するときに、総利用回数が所定数より小さいときは第１の課金金額を、総利用回数が上記所定数以上の時は上記第１の課金金額より少ない第２の課金金額を、上記利用者に課すためのデータである課金データを生成する課金ステップと、
を備える通信方法。
【請求項３６】
上記課金ステップでは、上記課金データとして割引金額を生成することを特徴とする請求項３５記載の通信方法。
【請求項３７】
上記課金ステップでは、  上記課金データとして割引金額を差し引いた課金金額を生成することを特徴とする請求項３５記載の通信方法。
【請求項３８】
上記通信方法は更に、出力手段に上記課金データを紙で出力させる出力制御ステップを備えることを特徴とする請求項３５記載の通信方法。
【発明の詳細な説明】
【０００１】
【技術分野】
本発明は、有線又は無線の通信手段を介してコンテンツデータを購入する際、パッケージメディアの購入履歴に応じて割引を行い、また、パッケージメディアを購入する際、有線又は無線の通信手段を介してのコンテンツデータの購入履歴に応じてパッケージメディアの割引を行うようにすることで、コンテンツデータをパッケージメディアにより頒布する市場とコンテンツデータを有線又は無線の通信手段により配信する市場の両方の活性化を図ることができる通信装置及び通信方法に関する。
【背景技術】
【０００２】
従来、オーディオデータ、画像データ、ビデオデータ、コンピュータプログラム等のコンテンツデータは、一般に光ディスク等の独立した記録媒体を収納体に収納したパッケージメディアとして頒布されている。また、コンテンツデータは、インターネット等の電気通信回線を介して有料で電子配信されることによっても頒布されている。
【０００３】
コンテンツデータの頒布は、パッケージメディアによる頒布より電子配信の方が、有体物であるパッケージメディアの受け渡しを行う必要が無く、コンピュータ間で直接コンテンツデータの受け渡しができることから便利である。したがって、コンテンツデータを広く広めたいときには、電子配信を行った方が効率的である。一方、本来、人は所有欲を有するものであり、所有欲の大きい利用者にとっては、パッケージメディアを所有しないことにはこの所有欲を満足させることはできない。
【発明の開示】
【０００４】
本発明の目的は、コンテンツデータをパッケージメディアにより頒布する市場と、コンテンツデータを有線又は無線の通信手段を用いて配信する市場の両方の活性化を図ることができる通信装置及び通信方法を提供することにある。
【０００５】
上述したような目的を達成するために提案される通信装置は、複数のコンテンツデータが蓄積される蓄積手段と、上記蓄積手段に蓄積されている複数のコンテンツデータからコンテンツデータを選択するためのコンテンツデータ選択信号に基づいて、上記蓄積手段に蓄積されている複数のコンテンツデータから少なくとも一のコンテンツデータを選択する選択手段と、利用者毎に、該利用者を識別する利用者識別情報に対応づけて、パッケージメディアの総購入数を表す総購入数情報を記憶する購入履歴記憶手段と、上記利用者識別情報とパッケージメディアを識別するためのパッケージメディア識別情報とを外部機器から受信したときに、上記パッケージメディア識別情報及びパッケージメディア識別情報蓄積手段に蓄積された識別情報に基づいて、上記パッケージメディアがサービス対象かを判別する判別手段と、上記判別手段の判別結果に基づいて、上記パッケージメディアがサービス対象であった場合、上記利用者識別情報に対応する上記総購入数情報を更新する更新手段と、上記総購入数情報に基づいて、利用者が上記選択手段により選択されるコンテンツデータを利用するときに、パッケージメディアの総購入数が所定数よりも少ない利用者に対しては第１の課金金額を、パッケージメディアの総購入数が上記所定数以上の利用者に対しては上記第１の課金金額よりも少ない第２の課金金額を課金するためのデータである課金データを利用者識別情報毎に生成する課金手段とを備える。
【０００６】
また、本発明にかかる他の通信装置は、入力手段から入力される利用者識別情報と外部機器に蓄積されている複数のコンテンツデータからコンテンツデータを選択するためのコンテンツデータ選択信号とを上記外部機器へ送信する送信手段と、上記コンテンツデータ選択信号に基づいて選択されたコンテンツデータと、上記利用者のパッケージメディアの総購入数情報とを受信する受信手段と、上記総購入数情報に基づいて、上記受信したコンテンツデータを利用するときに、パッケージメディアの総購入数が所定数よりも少ないときは第１の課金金額を、パッケージメディアの総購入数が上記所定数以上のときは上記第１の課金金額よりも少ない第２の課金金額を課金するためのデータである課金データを生成する課金手段とを備える。
【０００７】
また、本発明にかかる他の通信装置は、複数のコンテンツデータが蓄積される蓄積手段と、上記蓄積手段に蓄積されている複数のコンテンツデータからコンテンツデータを選択するためのコンテンツデータ選択信号に基づいて、上記蓄積手段に蓄積されている複数のコンテンツデータから少なくとも一のコンテンツデータを選択する選択手段と、利用者を識別するための利用者識別情報と対応づけて上記複数のコンテンツデータの総利用回数を表す総利用回数情報を記憶する購入履歴記憶手段と、上記選択されたコンテンツデータを利用者端末に送信したときに、上記利用者識別情報に対応する総利用回数情報を更新する更新手段と、上記総利用回数情報に基づいて、パッケージメディアを上記利用者が購入するときに、総利用回数が所定数よりも少ない利用者に対しては第１の課金金額を、総利用回数が上記所定数以上の利用者に対しては上記第１の課金金額よりも少ない第２の課金金額を課すためのデータである課金データを上記利用者識別情報毎に生成する課金手段とを備える。
【０００８】
また、本発明にかかる他の通信装置は、段から入力される利用者識別情報と外部機器に蓄積されている複数のコンテンツデータからコンテンツデータを選択するためのコンテンツデータ選択信号とを上記外部機器へ送信する送信手段と、上記コンテンツデータ選択信号に基づいて選択されたコンテンツデータと、上記利用者識別情報に対応するコンテンツデータの総利用回数を表す総利用回数情報を受信する受信手段と、上記総利用回数情報に基づいて、パッケージメディアを上記利用者が購入するときに、総利用回数が所定数より小さいときは第１の課金金額を、総利用回数が上記所定数以上のときは上記第１の課金金額より少ない第２の課金金額を、上記利用者に課すためのデータである課金データを生成する課金手段とを備える。
【０００９】
また、本発明にかかる通信方法は、蓄積手段に蓄積された複数のコンテンツデータからコンテンツデータを選択するためのコンテンツデータ選択信号に基づいて、選択手段が上記複数のコンテンツデータから少なくとも一のコンテンツデータを選択する選択ステップと、記憶手段に、該利用者を識別するための利用者識別情報と対応づけて、パッケージメディアの総購入数情報を記憶する購入履歴記憶ステップと、上記利用者識別情報とパッケージメディアを識別するためのパッケージメディア識別情報を受信したときに、判別手段が上記パッケージメディア識別情報及びパッケージメディア識別情報蓄積手段に蓄積された識別情報に基づいて、上記パッケージメディアがサービス対象かを判別する判別ステップと、上記判別手段の判別結果に基づいて、上記パッケージメディアがサービス対象であった場合、上記判別手段が、上記利用者識別情報に対応する上記総購入数情報を更新する更新ステップと、上記判別手段が、上記総購入数情報に基づいて、利用者が上記選択手段により選択されるコンテンツデータを利用するときに、パッケージメディアの総購入数が所定数よりも少ない利用者に対して第１の課金金額を、パッケージメディアの総購入数が所定数以上の利用者に対して上記第１の課金金額よりも少ない第２の課金金額を課金するためのデータである課金データを利用者識別情報毎に生成する課金ステップとを備える。
【００１０】
また、本発明にかかる他の通信方法は、通信インタフェースを介して、入力される利用者情報と外部機器に蓄積されている複数のコンテンツデータからコンテンツデータを選択するためのコンテンツデータ選択信号とを上記外部機器へ送信する送信ステップと、通信インタフェースを介して、上記コンテンツデータ選択信号に基づいて選択されたコンテンツデータと、上記利用者のパッケージメディアの総購入数情報とを受信する受信ステップと、課金処理部が、上記総購入数情報に基づいて、上記受信したコンテンツデータを利用するときに、パッケージメディアの総購入数が所定数よりも少ないときは第１の課金金額を、パッケージメディアの総購入数が所定数以上のときは上記第１の課金金額よりも少ない第２の課金金額を課金するためのデータである課金データを生成するステップとを備える。
【００１１】
また、本発明にかかる他の通信方法は、蓄積手段に蓄積された複数のコンテンツデータからコンテンツデータを選択するためのコンテンツデータ選択信号に基づいて、選択手段が上記複数のコンテンツデータから少なくとも一のコンテンツデータを選択する選択ステップと、記憶手段に、利用者を識別するための利用者識別情報と対応づけて上記複数のコンテンツデータの総利用回数情報を記憶する購入履歴記憶ステップと、制御手段が、上記選択されたコンテンツデータを利用者端末に送信したときに、上記利用者識別情報に対応する総利用回数情報を更新する更新ステップと、上記制御手段が、上記総利用回数情報に基づいて、パッケージメディアを上記利用者が購入するときに、総利用回数が所定数よりも少ない利用者に対しては第１の課金金額を、総利用回数が上記所定数以上の利用者に対しては上記第１の課金金額よりも少ない第２の課金金額を課すためのデータである課金データを生成する課金ステップとを備える通信方法。
【００１２】
また、本発明にかかる他の通信方法は、通信インタフェースを介して、入力手段から入力される利用者識別情報と外部機器に蓄積されている複数のコンテンツデータからコンテンツデータを選択するためのコンテンツデータ選択信号とを外部機器へ送信する送信ステップと、通信インタフェースを介して、上記コンテンツデータ選択信号に基づいて選択されたコンテンツデータと、上記利用者識別情報に対応するコンテンツデータの総利用回数情報を表す総利用回数情報を受信する受信ステップと、課金処理部が、上記総利用回数情報に基づいて、パッケージメディアを上記利用者が購入するときに、総利用回数が所定数より小さいときは第１の課金金額を、総利用回数が上記所定数以上の時は上記第１の課金金額より少ない第２の課金金額を、上記利用者に課すためのデータである課金データを生成する課金ステップとを備える。
【００１３】
本発明の更に他の目的、本発明によって得られる具体的な利点は、以下に説明される実施例の説明から一層明らかにされるであろう。
【発明を実施するための最良の形態】
【００１４】
以下、本発明が適用されたデータ記録再生システムについて、図面を参照して説明する。
【００１５】
本発明が適用されたデータ記録再生システム１は、図１に示すように、利用者Ａ、利用者Ｂ、利用者Ｃ・・・（以下、単に、利用者ともいう。）が所有する装置であり、パッケージメディア２である記録媒体の記録再生を行う記録再生装置１０，２０と、本サービスを運営するレコード会社等が所有する装置であり、利用者に配信するオーディオデータを蓄積し、アクセスした記録再生装置１０にオーディオデータを送信するサーバ装置３０と、パッケージメディア２の販売店が所有する装置であり、光ディスク４を購入した購入履歴をサーバ装置３０に送信する端末装置５０とを備える。更に、データ記録再生システム１は、オーディオデータＡＵ．Ｄをサーバ装置３０からダウンロードした利用者に対して課金処理を行う課金サーバ装置６０とを備える。以上のようなデータ記録再生システム１では、サーバ装置３０と各利用者の記録再生装置１０と端末装置５０と課金サーバ装置６０とがＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線、ＣＡＴＶ（Ｃａｂｌｅ  Ｔｅｌｅｖｉｓｉｏｎ）回線、光ケーブル回線等の電気通信回線を介してインターネット３内のサーバ装置３０に接続されている。
【００１６】
利用者は、サーバ装置３０を運営するレコード会社等と、月極等所定期間内定額で又は一曲毎に支払を行う従量制で自分の嗜好に合ったオーディオデータＡＵ．Ｄを無制限にダウンロードすることができる契約を結んでいる。
【００１７】
また、利用者は、自分の好みに合った記録媒体の販売店でコンパクトディスク（以下、単にＣＤともいう。）やディジタル・バーサタイル・ディスク（以下、単にＤＶＤともいう。）等のパッケージメディア２を購入することによって、自分の好きなアーティストのアルバムや楽曲を入手することができる。この記録媒体及びこの記録媒体を収納する収納体には、記録媒体単体を識別する識別ＩＤが記録されている。販売店は、利用者が記録媒体を購入すると、購入者（購入者が電子音楽配信を利用しているときには利用者）ＩＤと共に記録媒体の記録媒体ＩＤを端末装置５０よりサーバ装置３０に送信する。
【００１８】
なお、記録媒体ＩＤと購入者（利用者）ＩＤは、利用者の所有する記録再生装置１０にパッケージメディア２の記録媒体を装着したとき、自動的又は利用者の操作に応じてサーバ装置３０に送信されるようにしてもよい。
【００１９】
また、利用者は、所定期間定額で、又は一曲毎に支払を行うことによって、記録再生装置１０を用いてサーバ装置３０にアクセスし、所望のオーディオデータＡＵ．Ｄをダウンロードすることができる。このとき、サーバ装置３０は、購入者（利用者）ＩＤ毎のパッケージメディアの購入数をカウントし、利用者毎の購入枚数に応じて利用者がオーディオデータＡＵ．Ｄをサーバ装置３０からダウンロードするための契約を結ぶ際割引を行う。
【００２０】
具体的に、図２を用いて説明すると、ステップＳ１において、利用者がインターネット３を介してオーディオデータＡＵ．Ｄをダウンロードすることができる契約を結ぶとき、レコード会社は、契約を結ぶ利用者がパッケージメディア２の購入者であるかどうかを判断する。そして、レコード会社は、利用者がパッケージメディア２の購入者であるとき、ステップＳ２に進み、購入者でないとき、ステップＳ７に進む。
【００２１】
ステップＳ２において、レコード会社は、利用者がパッケージメディア２を今まで、或いは所定期間内に所定枚数、例えば２枚以上購入しているかどうかを判断する。レコード会社は、利用者が今までに２枚以上パッケージメディア２を購入しているとき、ステップＳ３に進み、所定枚数以上購入していないとき、ステップＳ４に進む。ここで、パッケージメディアの枚数は、２枚以上に限定されない。
【００２２】
レコード会社は、ステップＳ３において、利用者が２枚以上パッケージメディア２を購入しているとき、料金を無料とする。
【００２３】
利用者がパッケージメディア２の購入者であるがパッケージメディア２を２枚以上購入していないとき、レコード会社は、ステップＳ４において、当該利用者に対する料金を１０００円に設定し、１０００円が振り込まれたかどうかを判断する。そして、レコード会社は、１０００円が振り込まれたとき、ステップＳ５に進み、１０００円が振り込まれていないとき、ステップＳ６に進む。
【００２４】
ステップＳ５において、レコード会社は、１０００円で本サービスを提供し、ステップＳ６において、契約が不成立であるとし、本サービスの提供を行わない。
【００２５】
利用者がパッケージメディア２の購入者でないとき、ステップＳ７において、レコード会社は、料金を２０００円に設定し、２０００円が振り込まれたかどうかを判断する。そして、レコード会社は、２０００円が振り込まれたとき、ステップＳ８に進み、２０００円が振り込まれていないとき、ステップＳ９に進む。
【００２６】
ステップＳ８において、レコード会社は、２０００円で本サービスを提供し、ステップＳ９において、契約が不成立であるとし、本サービスの提供を行わない。
【００２７】
以上のようなデータ記録再生システム１では、パッケージメディア２の購入数に応じて、ＥＭＤ（Ｅｌｅｃｔｒｏｎｉｃ  Ｍｕｓｉｃ  Ｄｉｓｔｒｉｂｕｔｉｏｎ）等の電子音楽配信のサービスを受ける際の割引を受けることができることから、パッケージメディア２の利用者を電子音楽配信のサービスに呼び込むことができ、また、電子音楽配信の利用者にパッケージメディア２の購入を促すことができる。したがって、データ記録再生システム１では、パッケージメディア２の市場の活性化を図りつつ電子音楽配信の市場の活性化を図ることができる。
【００２８】
次に、本発明が適用されたデータ記録再生システム１によるサービスの対象となるパッケージメディア２を構成する光ディスク４について、図３を参照して説明する。この光ディスク４は、記録再生装置１０側のディスク回転操作機構のディスクテーブルが係合されるセンタ孔４ａの外周側に内周側非信号記録領域４ｂが設けられ、この内周側非信号記録領域４ｂの外周側に第１のデータ記録領域４ｃが設けられ、この第１のデータ記録領域４ｃの外周側に光ディスクの記録媒体ＩＤ等を記録するための識別データ記録領域４ｄが設けられ、この識別データ記録領域４ｄの外周側に第２のデータ記録領域４ｅが設けられ、この第２のデータ領域４ｅの外周側に外周側非信号記録領域４ｆが設けられてなる。
【００２９】
第１のデータ領域４ｃには、従来からあるＣＤの記録フォーマットで第１のディジタルコンテンツとなるオーディオデータがＣＤと同じ記録密度で記録されている。すなわち、この第１のデータ領域４ｃに記録されたオーディオデータは、ＣＤの再生装置によっても再生することができるようになっている。ここで、第１のディジタルコンテンツは、ＣＤと同じ音質のオーディオデータである。勿論、第２のデータ領域４ｅに記録されているディジタルコンテンツの宣伝用のオーディオデータや画像データ等であってもよい。
【００３０】
また、第２のデータ領域４ｅには、第１のデータ領域４ｃと記録フォーマットを同じくしつつ、第２のディジタルコンテンツが第１のデータ領域４ｃより２倍の記録密度で記録されている。この第２のデータ領域４ｅには、第１のディジタルコンテンツと関連する又は関連しない第２のディジタルコンテンツが記録されている。この第２のディジタルコンテンツは、例えば第１のディジタルコンテンツと関連するデータとして、信号圧縮された画像データ、テキストデータ等である。具体的には、第１のディジタルコンテンツに付属されるポスター、歌詞、インタビュー記事、新曲案内等である。また、第２のディジタルコンテンツは、第１のディジタルコンテンツより高音質のオーディオデータであってもよい。なお、この第２のデータ領域４ｅに記録されている第２のディジタルコンテンツは、暗号化して記録し、専用の記録再生装置１０により装填されたときに限って暗号解読され再生されるようにしてもよい。
【００３１】
更に、識別データ記録領域４ｄには、光ディスク４を１枚１枚識別するための記録媒体固有の記録媒体ＩＤが記録されている。また、その他、識別データ記録領域４ｄには、製造装置を特定するための製造装置ＩＤ、著作権の所有者や管理者を特定するための著作権ＩＤ、光ディスク４に記録された第１及び第２のディジタルコンテンツに関連するインターネット上の所定のウェブサイトにアクセスするためのＵＲＬ（Ｕｎｉｆｏｒｍ  Ｒｅｓｏｕｒｃｅ  Ｌｏｃａｔｏｒ）等が記録されている。
【００３２】
利用者は、以上のような光ディスク４を歌詞カードやアーティスト紹介がなされた冊子等と共に収納体に収納されたパッケージメディア２の状態で販売店で販売される。勿論、記録媒体ＩＤは、販売店にも分かるように収納体に印刷するようにしてもよい。
【００３３】
次に、以上のような光ディスク４の再生を行う記録再生装置１０について説明する。この記録再生装置１０は、図４に示すように、データの読出を行う光ピックアップ１１と、光ピックアップ１１からの出力が入力されるＲＦ回路１２と、ＲＦ回路１２の出力に基づいて対物レンズのフォーカシングサーボ信号とトラッキングサーボ信号を生成するサーボ回路１３と、光ディスク４を回転するモータ１４と、ＲＦ回路１２からの出力を復調する復調回路１５と、復調回路１５からの出力のエラー訂正処理を行うエラー訂正回路１６と、暗号化されたデータを解読する暗号解読回路１７と、ディジタル信号をアナログ信号に変換するＤ／Ａコンバータ１８と、アナログ信号に変換されたオーディオデータ等を出力するスピーカ１９とを備える。
【００３４】
ＲＦ回路１２は、光ピックアップ１１を構成する光検出器からの出力信号に基づいて、ＲＦ信号、フォーカシングエラー信号及びトラッキングエラー信号を生成する。例えばフォーカシングエラー信号は、非点収差法により生成され、トラッキングエラー信号は、３ビーム法やプッシュプル法により生成される。そして、ＲＦ回路１２は、ＲＦ信号を復調回路１５に出力し、フォーカシングエラー信号及びトラッキングエラー信号をサーボ回路１３に出力する。
【００３５】
サーボ回路１３は、光ディスク４を再生する際のサーボ信号を生成する。具体的に、サーボ回路１３は、フォーカシングエラー信号に基づき、このフォーカシングエラー信号が０となるように、フォーカシングサーボ信号を生成し、また、トラッキングエラー信号に基づき、このトラッキングエラー信号が０となるように、トラッキングサーボ信号を生成する。そして、サーボ回路１３は、フォーカシングサーボ信号及びトラッキングサーボ信号を光ピックアップ１１を構成する対物レンズ駆動機構の駆動回路に出力する。そして、この駆動回路は、フォーカシングサーボ信号及びトラッキングサーボ信号に基づいて、対物レンズを駆動する対物レンズ駆動機構を駆動制御する。すなわち、駆動回路は、フォーカシングサーボ信号に基づき２軸アクチュエータを駆動し、対物レンズを対物レンズの光軸と平行なフォーカシング方向に駆動変位させ、トラッキングサーボ信号に基づき２軸アクチュエータを駆動し、対物レンズの光軸に直交するトラッキング方向に対物レンズを駆動変位させる。また、サーボ回路１３は、モータ１４をサーボ制御するためサーボ信号をモータ１４に出力し、光ディスク４が例えば線速度一定で回転されるように駆動制御する。モータ１４の出力軸には、ディスク回転操作機構を構成するディスクテーブルが設けられており、光ディスク４は、センタ孔４ａがディスクテーブルに係合されることにより、出力軸と一体的に線速度一定で回転する。
【００３６】
復調回路１５は、ＥＦＭ（Ｅｉｇｈｔ  ｔｏ  Ｆｏｕｒｔｅｅｎ  Ｍｏｄｕｌａｔｉｏｎ）等のアルゴリズムに従って変調された光ディスク４から読み出されたオーディオデータをＥＦＭ復調する。また、エラー訂正回路１６は、クロスインターリーブ・リード・ソロモン符号化（Ｃｒｏｓｓ  Ｉｎｔｅｒｌｅａｖｅ  Ｒｅｅｄ−Ｓｏｌｏｍｏｎ  Ｃｏｄｅ；ＣＩＲＣ）等のアルゴリズムに従って訂正処理を施してエラー訂正後の各データを暗号解読回路１７に出力する。
【００３７】
暗号解読回路１７は、光ディスク４の第２のデータ領域４ｅに暗号化されて記録されている第２のコンテンツデータを解読するための暗号解読キーを有しており、第２のコンテンツデータがエラー訂正回路１６より入力されたとき、予め記憶している暗号解読キーによって第２のコンテンツデータを解読する。また、この暗号解読回路１７は、インターネット３を介してダウンロードされたオーディオデータを再生するとき、予め記憶している暗号解読キー或いはサーバ装置３０からダウンロードした暗号解読キーによってオーディオデータの解読を行う。そして、暗号解読回路１７は、第１のディジタルコンテンツや第２のディジタルコンテンツがオーディオデータであるとき、Ｄ／Ａコンバータに出力し、画像データ等であるとき、表示部に出力する。
【００３８】
Ｄ／Ａコンバータ１８は、暗号解読回路１７より入力されたオーディオデータ等のディジタル信号をアナログ信号に変換し、スピーカ１９に出力する。スピーカ１９は、電気信号を電気音響変換しオーディオデータを出力する。
【００３９】
また、この記録再生装置１０は、図４に示すように、サーバ装置３０からダウンロードしたオーディオデータを記憶する記憶部２１と、サーバ装置３０からダウンロードしたオーディオデータを再生するときに課金処理を行う課金処理部２２と、文字等の入力操作や選択操作を行う入力操作部２３と、画像データを表示する表示部２４と、サーバ装置３０とインターネット３を介してデータの送受信を行う通信インターフェース（以下、単に通信Ｉ／Ｆという。）２５と、全体の動作を制御する制御部２６とを備える。
【００４０】
記憶部２１は、ハードディスク（Ｈａｒｄ  ｄｉｓｋ）等からなり、サーバ装置３０からダウンロードしたオーディオデータが保存されると共に、サーバ装置３０に開設されたホームページを閲覧するための閲覧検索プログラム等の各種アプリケーションプログラムが記憶されている。また、記憶部２１には、光ディスク４の識別データ記録領域４ｄから読み出した記録媒体ＩＤが記憶されている。
【００４１】
課金処理部２２は、サーバ装置３０からダウンロードしたオーディオデータを再生するとき、暗号解読回路１７で暗号化されたオーディオデータを解読したときに課金処理を行う。
【００４２】
入力操作部２３は、光ディスク４に記録された第１及び第２のディジタルコンテンツの読出を開始する操作を行うための再生釦、再生動作を停止するための再生停止釦、光ディスク４の記録トラックを順方向にトラックジャンプするための順方向トラックジャンプ釦、記録トラックを逆方向にトラックジャンプするための逆方向トラックジャンプ釦、文字等を入力するためのキーボードやテンキー、画面上のカーソル位置を入力するためのマウス等から構成されている。例えば、キーボードは、インターネット３を介して所定のホームページにアクセスするとき、ＵＲＬを入力するのに用いられる。また、また、マウス等は、表示部２４にダウンロードするオーディオデータの一覧が表示されたとき、表示されたオーディオデータの中から一又は複数のダウンロードするオーディオデータを選択するときに用いられる。
【００４３】
表示部２４は、ＣＲＴ（Ｃａｔｈｏｄｅ−ｒａｙ  Ｔｕｂｅ）や液晶表示パネル等からなり、光ディスク４に記録されている画像データや光ディスク４の再生時間、再生中のトラック番号等光ディスク４に関連する情報を表示する。また、表示部２４は、所定のＵＲＬにアクセスしたとき、ホームページを表示する。
【００４４】
以上のように構成された記録再生装置１０で光ディスク４の再生を行うとき、利用者によって入力操作部２３を構成する再生釦が押されると、モータ１４は、光ディスク４を線速度が一定となるように駆動され、光ディスク４を回転操作する。これと共に、光ピックアップ１１は、光ビームを光ディスク４の信号記録面に照射する。そして、光ディスク４の信号記録面で反射された戻りの光ビームは、光検出器により電気信号に変換され、光検出器は、この電気信号をＲＦ回路１２に出力する。ＲＦ回路１２は、ＲＦ信号を生成し復調回路１５に出力すると共に、フォーカシングエラー信号とトラッキングエラー信号を生成し、サーボ回路１３に出力する。
【００４５】
サーボ回路１３は、フォーカシングエラー信号に基づき、フォーカシングサーボ信号を生成し、また、トラッキングエラー信号に基づき、トラッキングサーボ信号を生成し、これらのエラー信号を光ピックアップ１１を構成する対物レンズ駆動機構の駆動回路に出力する。そして、光ピックアップ１１は、対物レンズ駆動機構を駆動し、対物レンズを光ビームの光軸方向に駆動変位させることによってフォーカシング制御を行い、対物レンズを光ビームの光軸に直交する方向に駆動変位させることによってトラッキング制御を行う。
【００４６】
また、復調回路１５は、ＲＦ回路１２から入力されたＲＦ信号をＥＦＭ（Ｅｉｇｈｔ  ｔｏ  Ｆｏｕｒｔｅｅｎ  Ｍｏｄｕｌａｔｉｏｎ）のアルゴリズムに従って復調し、エラー訂正回路１６に出力し、エラー訂正回路１６は、ＣＩＲＣのアルゴリズムに従ってエラー訂正処理を行い、暗号解読回路１７に出力する。暗号解読回路１７は、予め記憶している暗号解読キーによって第２のコンテンツデータを解読し、Ｄ／Ａコンバータ１８に出力する。なお、暗号解読回路１７は、暗号処理が施されていない第１のディジタルコンテンツが入力されたときには、何ら処理を施すことなくＤ／Ａコンバータ１８に出力する。Ｄ／Ａコンバータ１８は、ディジタル信号をアナログ信号に変換し、スピーカ１９に出力し、スピーカ１９は、電気音響変換して音響再生を行う。
【００４７】
また、サーバ装置３０に設けられたオーディオデータをダウンロードするためのホームページを閲覧するときには、利用者が入力操作部２３を構成するキーボードやマウスを用いてそのホームページの所在を示すＵＲＬを入力すると、制御部２６が閲覧検索プログラムやＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等の伝送プロトコルを実行する。すると記録再生装置１０は、インターネット３を介して、サーバ装置３０にアクセスし、該当するホームページをダウンロードして表示部２４に表示する。そして、制御部２６は、自動的に又は入力操作部２３の操作に応じて例えば光ディスク４に記録されている記録媒体ＩＤを利用者ＩＤと共に購入履歴情報としてサーバ装置３０に送信する。また、入力操作部２３を構成するマウス等によってダウンロードする一又は複数のオーディオデータが選択されると、制御部２６は、選択されたオーディオデータをダウンロードし、記憶部２１に保存する。
【００４８】
サーバ装置３０よりダウンロードし記憶部２１に記憶されているオーディオデータを再生するときには、再生釦が押されると、制御部２６は、選択されたオーディオデータを記憶部２１より読み出し、暗号化されているとき暗号解読回路１７に出力し、暗号化されていないときＤ／Ａコンバータ１８に出力する。そして、Ｄ／Ａコンバータ１８は、ディジタル信号をアナログ信号に変換し、スピーカ１９に出力し、スピーカ１９は、電気音響変換をし出力する。
【００４９】
なお、一曲ずつ記録や再生がされる度に課金を行うときには、詳細は後述するが課金処理部２２が課金処理を行う。そして、制御部２６は、所定期間が経過したとき、課金処理部２２に記録されている課金データ等を通信Ｉ／Ｆ２５を介してサーバ装置３０に送信する。
【００５０】
次に、ＥＭＤ等の電子音楽配信を行うサーバ装置３０は、図５に示すように、電子音楽配信を行う複数のオーディオデータが蓄積された第１の記憶部３１と、販売店で販売されているパッケージメディア２の記録媒体ＩＤが記憶されている第２の記憶部３２と、パッケージメディア２の購入履歴が記憶される第３の記憶部３３と、利用者の記録再生装置１０や販売店の端末装置５０とデータの送受信を行う通信Ｉ／Ｆ３４と、利用者の記録再生装置１０や販売店の端末装置５０から送信された記録媒体ＩＤと第２の記憶部３２に記録されている記録媒体ＩＤとを比較し認証する比較認証部３５と、全体の動作を制御する制御プログラムが記憶されたリード・オンリ・メモリ（ｒｅａｄ  ｏｎｌｙ  ｍｅｍｏｒｙ：以下、単にＲＯＭという。）３６と、ＲＯＭ３６に記憶されたプログラムがロードされるランダム・アクセス・メモリ（ｒａｎｄｏｍ  ａｃｃｅｓｓ  ｍｅｍｏｒｙ：以下、単にＲＡＭという。）３７と、所定期間経過したかを計時するタイマ３８と、ＲＡＭ３７にロードされたプログラムに基づいて全体の動作を制御する制御部３９とを備える。
【００５１】
第１の記憶部３１は、大容量のハードディスク等から構成されており、電子音楽配信を行う複数のオーディオデータが記憶されている。具体的に、この第１の記憶部３１に構築されているオーディオデータのデータベースについて説明すると、このデータベースは、下記表１に示すように構成されている。
【００５２】
【表１】
0004447836.tif 000002
【００５３】
すなわち、表１に示すように、第１の記憶部３１に構築されるデータベースは、アーティスト毎に当該アーティストの曲、すなわちオーディオデータが分類されている。例えば、アーティスト「ＡＡＡ」には、このアーティストの曲、すなわちオーディオデータ「ａ」、「ｂ」、「ｃ」、「ｄ」が関連づけられ、アーティスト「ＢＢＢ」には、オーディオデータ「ｅ」、「ｆ」、「ｇ」、「ｈ」が関連づけられている。
【００５４】
また、このデータベースは、下記表２のように構成してもよい。
【００５５】
【表２】
0004447836.tif 000003
【００５６】
すなわち、表２に示すように、第１の記憶部３１に構築されるデータベースは、アーティストがジャンル別に分類されており、各アーティスト毎に当該アーティストの曲、すなわちオーディオデータが分類されている。例えば、アーティスト「ＡＡＡ」と「ＢＢＢ」とは、「ロック」のジャンルに分類されており、「ＣＣＣ」は「ジャズ」のジャンルに分類されている。そして、ジャンル毎に分類されたアーティスト、例えば「ロック」のジャンルに属するアーティスト「ＡＡＡ」には、このアーティストの曲、すなわちオーディオデータ「ａ」、「ｂ」、「ｃ」、「ｄ」が関連づけられている。
【００５７】
また、第２の記憶部３２も、第１の記憶部３１と同様に大容量ハードディスク等から構成されており、下記表３に示すように、販売されている光ディスク４のパッケージメディア２が当該パッケージメディア２の販売元のレコード会社別に分類して記憶されている。
【００５８】
【表３】
0004447836.tif 000004
【００５９】
例えば、データベースは、レコード会社ＩＤ「ＡＢＣ」に関連づけて、記録媒体ＩＤ「Ａ１２３４」と発売日「２０００年７月１４日」とが記録され、また、レコード会社ＩＤ「ＤＥＦ」に関連づけて、記録媒体ＩＤ「Ｄ５６７８」と発売日「２０００年６月７日」とが記録されている。なお、このレコード会社は、電子音楽配信のサービスを行っているレコード会社と関係の無いレコード会社の含めてよいが、ここでは、電子音楽配信を行っているレコード会社とこのレコード会社に関連するレコード会社である。
【００６０】
また、第３の記憶部３３も、第１及び２の記憶部３１，３２と同様に大容量ハードディスク等から構成されており、パッケージメディア２の購入者（利用者）毎の購入枚数が記録されている。また、この第３の記憶部３３には、購入者（利用者）のパッケージメディア２の購入枚数に応じた電子音楽配信の料金が記憶されている。具体的に、第３の記憶部３３に記憶されているパッケージメディア２３の購入履歴のデータベースについて説明すると、このデータベースは、下記表４のように構成されている。
【００６１】
【表４】
0004447836.tif 000005
【００６２】
すなわち、表４に示すように、第３の記憶部３３に構築されるデータベースは、購入者（利用者）ＩＤ毎に、購入枚数と減額フラグと課金データが関連づけられている。ここで、例えば、電子音楽配信の料金の基本料金を月極で２０００円とし、パッケージメディア２を０枚〜９枚購入している購入者には割引を行わず、このときの減額フラグを「００」とし、１０枚〜２９枚購入している購入者には１０００円の割引を行い、このときの減額フラグを「１０」とし、３０枚以上購入している購入者には電子音楽配信料金を無料とし、このときの減額フラグを「１１」とする。
【００６３】
すると、例えば、購入者（利用者）ＩＤ「ＸＹＺ」は、購入枚数が１０枚と０枚であるから、減額フラグが「００」で割引を受けることができず課金データが２０００円となり、購入者（利用者）ＩＤ「ＯＰＱ」「ＲＳＴ」は、購入枚数が１０枚と２０枚であるから、減額フラグが「１０」で１０００円の割引を受け課金データが１０００円となり、購入者（利用者）ＩＤ「ＵＶＷ」は、購入枚数が３０枚であるから、減額フラグが「１１」で課金データが０円となる。
【００６４】
なお、電子音楽配信を行う契約を結んでいない購入者（利用者）ＩＤの欄は、購入数の欄のみが記入され、減額フラグの欄と課金データの欄は空白とされる。例えば、サーバ装置３０は、これらの者を対象に電子音楽配信の宣伝を容易に行うことができる。また、月極で電子音楽配信の料金を支払わず、記録再生装置１０での記録又は再生回数に応じて従量制で料金を支払う利用者については、割引データを記録するようにしてもよい。
【００６５】
通信Ｉ／Ｆ３４は、記録再生装置１０や販売店の端末装置５０とインターネット３を介して通信を行うためのインターフェースである。具体的に、通信Ｉ／Ｆ３４は、記録再生装置１０から利用者ＩＤと記録媒体ＩＤとを受信すると共にオーディオデータを記録再生装置１０に送信する。また、通信Ｉ／Ｆ３４は、販売店の端末装置５０から購入者（利用者）ＩＤと記録媒体ＩＤとを受信する。更に、通信Ｉ／Ｆ３４は、利用者ＩＤ毎の課金データを課金サーバ装置６０に送信する。
【００６６】
比較認証部３５は、記録再生装置１０や販売店の端末装置５０から購入者（利用者）ＩＤと記録媒体ＩＤとを通信Ｉ／Ｆ３４が受信したとき、先ず、第３の記憶部３３に利用者（購入者）ＩＤがあるかどうかを判断し、無いときは新たに購入者（利用者）ＩＤを第３の記憶部３３に追加する。次いで、比較認証部３５は、記録再生装置１０や端末装置５０から送信された記録媒体ＩＤが第２の記憶部３２に記録されている記録媒体ＩＤの中にあるかどうかを判断する。そして比較認証部３５は、記録媒体ＩＤが第２の記憶部３２に設けられているデータベースにあるとき、該当する購入者（利用者）ＩＤの購入枚数の欄をインクリメントする。そして、比較認証部３５は、更新された購入枚数に応じて課金データや割引データを更新する。
【００６７】
また、タイマ３８は、上記電子音楽配信の料金を月極で徴収するようにしていることから、利用者（購入）ＩＤ毎に所定期間、すなわち１ヶ月が経過したかを計時する。
【００６８】
以上のようなサーバ装置３０は、記録再生装置１０からのオーディオデータの選択信号を受信すると、制御部３９がこの選択信号に対応した第１の記憶部３１に記憶されているオーディオデータを通信Ｉ／Ｆ３４を介して記録再生装置１０に送信する。
【００６９】
また、記録再生装置１０や販売店の端末装置５０よりパッケージメディア２の購入者（利用者）ＩＤを受信すると、制御部３９は、比較認証部３５に、上述したように第２の記憶部３２のデータベースに記録されている記録媒体ＩＤを参照して、第３の記憶部３３に設けられている購入者（利用者）ＩＤの購入履歴を更新させる。
【００７０】
更に、制御部３９は、所定期間、例えば１ヶ月が経過したとき、電子音楽配信料金を利用者から徴収するため、課金センタに課金データを送信する。
【００７１】
次に、パッケージメディア２の販売店等に設置されている端末装置５０について、図６を参照して説明すると、この端末装置５０は、例えばパーソナルコンピュータと同様な構成を備えたものであり、ホームページを検索閲覧する検索閲覧プログラム、電子メールプログラム等のアプリケーションプログラムや顧客リスト等のデータベースが保存された記憶部５１と、サーバ装置３０とデータの送受信を行うための通信Ｉ／Ｆ５２と、全体の動作を制御するための制御プログラム等が記憶されたＲＯＭ５３と、ＲＯＭ５３から制御プログラム等が一旦読み込まれるＲＡＭ５４と、キーボード、マウス等からなる入力操作部５５と、サーバ装置３０にアクセスしたときにホームページを表示する表示部５６と、記憶部５１やＲＯＭ５３に記憶されたプログラムに基づいて全体の動作を制御するＣＰＵ（Ｃｅｎｔｒａｌ  Ｐｒｏｃｅｓｓｉｎｇ  Ｕｎｉｔ）５７とを備える。
【００７２】
利用者がパッケージメディア２の販売店で所望のパッケージメディア２を購入すると、店員は、入力操作部５５を操作することによって、購入者の購入者（利用者）ＩＤとパッケージメディア２の記録媒体ＩＤを入力する。そして、端末装置５０は、入力操作部５５でサーバ装置３０にアクセスするためのＵＲＬを入力するとＴＣＰ／ＩＰ等の伝送プロトコルが実行され、購入者（利用者）ＩＤと記録媒体ＩＤをサーバ装置３０に送信する。
【００７３】
次に、オーディオデータをサーバ装置３０からダウンロードした利用者に対して課金処理を行う課金サーバ装置６０について、図７を参照して説明すると、この課金サーバ装置６０は、図７に示すように、本サービスを受けている利用者等の口座データが記憶されている記憶部６１と、データを符号化復号するコーディック６２と、サーバ装置３０と課金データの送受信を行う通信Ｉ／Ｆ６３と、全体の動作制御用のプログラムが記憶されたＲＯＭ６４と、ＲＯＭ６４に記憶されたプログラムがロードされるＲＡＭ６５と、全体の制御を行う制御部６６とを備える。課金サーバ装置６０は、サーバ装置３０からの課金データを受信したとき、電子音楽配信の利用者の口座データを更新することにより決済処理を行う。
【００７４】
次に、利用者がパッケージメディア２の販売店で所望のパッケージメディア２を購入したとき、販売店がサーバ装置３０に購入者ＩＤと購入者が購入したパッケージメディア２の記録媒体ＩＤをサーバ装置３０に送信し、サーバ装置３０に登録するまでの手順について、図８のフローチャートを参照して説明する。
【００７５】
先ず、利用者が販売店で所望のパッケージメディア２を購入すると、ステップＳ１１において、店員が入力操作部５５を操作することによって、サーバ装置３０のＵＲＬを入力すると、端末装置５０は、サーバ装置３０にアクセスする。ステップＳ１２において、サーバ装置３０は、端末装置５０からのアクセス要求を受信すると、端末装置５０にパッケージメディア２の購入者の購入者（利用者）ＩＤと、購入者が購入したパッケージメディア２の記録媒体ＩＤの入力要求を端末装置５０に送信する。
【００７６】
端末装置５０がサーバ装置３０からの購入者（利用者）ＩＤと記録媒体ＩＤの入力要求を受信すると、端末装置５０は、先ず、表示部５６に、購入者（利用者）ＩＤと記録媒体ＩＤを入力するための画面を表示する。そして、ステップＳ１３において、端末装置５０には、販売店の店員等により入力操作部５５を構成するマウス等で購入者（利用者）ＩＤと記録媒体ＩＤの入力欄が指定され、キーボード等が操作されることによって購入者（利用者）ＩＤと記録媒体ＩＤが入力される。そして、端末装置５０は、ステップＳ１４において、店員等によって送信操作が行われるとＴＣＰ／ＩＰ等の伝送プロトコルが実行され、購入者（利用者）ＩＤと記録媒体ＩＤをサーバ装置３０に送信する。
【００７７】
ステップＳ１５において、サーバ装置３０は、図５に示すように、端末装置５０からの購入者（利用者）ＩＤと記録媒体ＩＤを受信すると、ステップＳ１６において、制御部３９は、比較認証部３５を動作させる。そして、比較認証部３５は、端末装置５０から送信されてきた購入者（利用者）ＩＤが第３の記憶部３３に設けられている購入履歴のデータベースにあるかどうかを検索する。そして、比較認証部３５は、端末装置５０から送信されてきた購入者（利用者）ＩＤが第３の記憶部３３に設けられている購入履歴のデータベースにあるとき、パッケージメディア２の購入者が今までにもパッケージメディア２を購入している登録済みの者であると判断し、ステップＳ１７に進む。また、比較認証部３５は、端末装置５０から送信されてきた購入者（利用者）ＩＤが第３の記憶部３３に設けられている購入履歴のデータベースに無いとき、パッケージメディア２の購入者が初めてパッケージメディア２を購入した者であると判断し、ステップＳ２１に進む。
【００７８】
ステップＳ１７において、比較認証部３５は、第２の記憶部３２に設けられている記録媒体ＩＤのデータベース内を、端末装置５０から送信されてきた記録媒体ＩＤがあるかどうかを判断する。すなわち、このステップで、比較認証部３５は、購入者が購入したパッケージメディア２が本サービスの対象品かどうかを判断する。そして、比較認証部３５は、端末装置５０から送信されてきた記録媒体ＩＤがデータベース内にあるとき、購入者が購入したパッケージメディア２が本サービスの対象品としてステップＳ１８に進み、端末装置５０から送信されてきた記録媒体ＩＤがデータベース内に無いとき、本サービスの対象外であると判断し、ステップＳ２５に進む。
【００７９】
ステップＳ１８において、比較認証部３５は、第３の記憶部３３の購入者履歴のデータベースに登録されている購入者（利用者）ＩＤのパッケージメディア２の購入枚数の欄を販売店での購入枚数分インクリメントする。そして、比較認証部３５は、更新された購入枚数に応じて第３の記憶部３３に設けられている購入者履歴のデータベースの減額フラグと課金データを更新する。そして、比較認証部３５は、該当する購入者（利用者）ＩＤの減額フラグを検出して、パッケージメディア２の購入者が電子音楽配信のサービスを受けるときの課金データを生成する。すなわち、比較認証部３５は、端末装置５０から送信された購入者（利用者）ＩＤに該当する購入者の課金データが無料であるか１０００円であるか２０００円であるかを選択する。
【００８０】
そして、ステップＳ１９において、サーバ装置３０は、端末装置５０から送信された購入者（利用者）ＩＤが既にサーバ装置３０に登録されており、電子音楽配信のサービスを受けるときの課金データ、パッケージメディア２の総購入枚数等の更新データを端末装置５０に送信する。ステップＳ２０において、端末装置５０は、サーバ装置３０からの更新通知を受信する。これにより、パッケージメディア２の販売店の店員は、この更新データの内容をパッケージメディア２の購入者に知らせることができ、また、更新データを知らされたパッケージメディア２の購入者は、電子音楽配信のサービスを受けるときの料金を知ることができる。
【００８１】
また、上述したステップＳ１６において、比較認証部３５が端末装置５０から送信されてきた購入者（利用者）ＩＤが第３の記憶部３３に設けられている購入履歴のデータベースに無いと判断すると、ステップＳ２１において、比較認証部３５は、ステップＳ１７と同様に、第２の記憶部３２に設けられている記録媒体ＩＤのデータベース内を、端末装置５０から送信されてきた記録媒体ＩＤがあるかどうかを判断する。ずなわち、このステップで、比較認証部３５は、購入者が購入したパッケージメディア２が本サービスの対象品かどうかを判断する。そして、比較認証部３５は、端末装置５０から送信されてきた記録媒体ＩＤがデータベース内にあるとき、購入者が購入したパッケージメディア２が本サービスの対象品としてステップＳ２２に進み、端末装置５０から送信されてきた記録媒体ＩＤがデータベース内に無いとき、本サービスの対象外であると判断し、ステップＳ２５に進む。
【００８２】
ステップＳ２２において、比較認証部３５は、第３の記憶部３３に設けられている購入履歴のデータベースに端末装置５０から送信された購入者（利用者）ＩＤを新規登録し、購入者（利用者）ＩＤのパッケージメディア２の購入枚数の欄を販売店での購入枚数分インクリメントする。そして、比較認証部３５は、更新された購入枚数に応じて第３の記憶部３３に設けられている購入者履歴のデータベースの減額フラグと課金データを更新する。そして、比較認証部３５は、該当する購入者（利用者）ＩＤの減額フラグを検出して、パッケージメディア２の購入者が電子音楽配信のサービスを受けるときの課金データを生成する。すなわち、比較認証部３５は、端末装置５０から送信された購入者（利用者）ＩＤに該当する購入者の課金データが無料であるか１０００円であるか２０００円であるかを選択する。
【００８３】
そして、ステップＳ２３において、サーバ装置３０は、端末装置５０から送信された購入者（利用者）ＩＤをサーバ装置３０に新規登録し、電子音楽配信のサービスを受けるときの課金データ、パッケージメディア２の総購入枚数等の更新データを端末装置５０に送信する。ステップＳ２４において、端末装置５０は、サーバ装置３０からの更新通知を受信する。これにより、パッケージメディア２の販売店の店員は、この更新データの内容をパッケージメディア２の購入者に知らせることができ、また、更新データを知らされたパッケージメディア２の購入者は、電子音楽配信のサービスを受けるときの料金を知ることができる。
【００８４】
また、上述したステップＳ１７及びステップＳ２１で比較認証部３５が端末装置５０から送信されてきた記録媒体ＩＤがデータベース内に無く、本サービスの対象外であると判断すると、サーバ装置３０は、ステップＳ２５において、購入者が購入したパッケージメディア２が本サービスの対象外のパッケージメディア２であることを購入者に知らせるためのサービス対象外通知を端末装置５０に送信する。ステップＳ２６において、端末装置５０は、サーバ装置３０からのサービス対象外通知を受信する。これにより、パッケージメディア２の販売店の店員は、このサービス対象外通知の内容をパッケージメディア２の購入者に知らせることができ、また、サービス対象外通知を知らされたパッケージメディア２の購入者は、電子音楽配信のサービスを受けるときの割引を受けることができないことを知ることができる。
【００８５】
次に、利用者がパッケージメディア２の販売店で所望のパッケージメディア２を購入し、光ディスク４を記録再生装置１０からサーバ装置３０に購入者ＩＤと記録媒体ＩＤをサーバ装置３０に送信し、サーバ装置３０に登録するまでの手順について、図９のフローチャートを参照して説明する。
【００８６】
パッケージメディア２を購入した購入者（利用者）が自宅の記録再生装置１０に装着すると、ステップＳ３１において、記録再生装置１０は、光ディスク４の再生を開始する。具体的に、図４に示すように、利用者によって入力操作部２３を構成する再生釦が押されると、光ディスク４は、モータ１４によって線速度が一定となるように回転される。これと共に、光ピックアップ１１は、光ビームを光ディスク４の信号記録面に照射する。そして、光ディスク４の信号記録面で反射された戻りの光ビームは、光検出器により電気信号に変換され、光検出器は、この電気信号をＲＦ回路１２に出力し、ＲＦ回路１２は、ＲＦ信号を生成し復調回路１５に出力し、復調回路１５は、ＲＦ回路１２から入力されたＲＦ信号をＥＦＭのアルゴリズムに従って復調し、エラー訂正回路１６に出力し、エラー訂正回路１６は、ＣＩＲＣのアルゴリズムに従って訂正処理を行い、記憶部２１に出力する。かくして、光ディスク４の識別データ記録領域４ｄに記録されているサーバ装置３０のＵＲＬと記録媒体ＩＤとは、一旦、記憶部２１に記憶される。そして、ステップＳ３２において、そして、記録再生装置１０は、利用者によって送信操作が行われるとＴＣＰ／ＩＰ等の伝送プロトコルが実行され、記録再生装置１０記憶部２１等に予め記憶されている購入者（利用者）ＩＤと共に記録媒体ＩＤをサーバ装置３０に送信する。
【００８７】
ステップＳ３３において、サーバ装置３０は、図５に示すように、端末装置５０からの購入者（利用者）ＩＤと記録媒体ＩＤを受信すると、ステップＳ３４において、制御部３９は、比較認証部３５を動作させる。比較認証部３５は、記録再生装置１０から送信されてきた利用者ＩＤが第３の記憶部３３に設けられている購入履歴のデータベースにあるかどうかを検索する。そして、比較認証部３５は、記録再生装置１０から送信されてきた利用者ＩＤが第３の記憶部３３に設けられている購入履歴のデータベースにあるとき、利用者が今までにもパッケージメディア２を購入している登録済みの者であると判断し、ステップＳ３５に進む。また、比較認証部３５は、記録再生装置１０から送信されてきた利用者ＩＤが第３の記憶部３３に設けられている購入履歴のデータベースに無いとき、利用者が初めてパッケージメディア２を購入した者であると判断し、ステップＳ３９に進む。
【００８８】
ステップＳ３５において、比較認証部３５は、第２の記憶部３２に設けられている記録媒体ＩＤのデータベース内を、記録再生装置１０から送信されてきた記録媒体ＩＤがあるかどうかを判断する。すなわち、このステップで、比較認証部３５は、利用者が購入したパッケージメディア２が本サービスの対象品かどうかを判断する。そして、比較認証部３５は、記録再生装置１０から送信されてきた記録媒体ＩＤがデータベース内にあるとき、購入者が購入したパッケージメディア２が本サービスの対象品としてステップＳ３６に進み、記録再生装置１０から送信されてきた記録媒体ＩＤがデータベース内に無いとき、本サービスの対象外であると判断し、ステップＳ４３に進む。
【００８９】
ステップＳ３６において、比較認証部３５は、第３の記憶部３３の購入者履歴のデータベースに登録されている利用者ＩＤのパッケージメディア２の購入枚数をインクリメントする。そして、比較認証部３５は、更新後の購入枚数に応じて第３の記憶部３３に設けられている購入者履歴のデータベースの減額フラグと課金データを更新する。そして、比較認証部３５は、該当する利用者ＩＤの減額フラグを検出して、記録再生装置１０の利用者が電子音楽配信のサービスを受けるときの課金データを生成する。すなわち、比較認証部３５は、記録再生装置１０から送信された利用者ＩＤに該当する利用者の課金データが無料であるか１０００円であるか２０００円であるかを選択する。
【００９０】
そして、ステップＳ３７において、サーバ装置３０は、記録再生装置１０から送信された利用者ＩＤが既にサーバ装置３０に登録されており、電子音楽配信のサービスを受けるときの課金データ、パッケージメディア２の総購入枚数等の更新データを記録再生装置１０に送信する。ステップＳ３８において、記録再生装置１０は、サーバ装置３０からの更新通知を受信する。これにより、利用者は、電子音楽配信のサービスを受けるときの料金を知ることができる。
【００９１】
また、上述したステップＳ３４において、比較認証部３５が記録再生装置１０から送信されてきた利用者ＩＤが第３の記憶部３３に設けられている購入履歴のデータベースに無いと判断すると、ステップＳ３９において、比較認証部３５は、ステップＳ２５と同様に、第２の記憶部３２に設けられている記録媒体ＩＤのデータベース内を、記録再生装置１０から送信されてきた記録媒体ＩＤがあるかどうかを判断する。すなわち、このステップで、比較認証部３５は、利用者が購入したパッケージメディア２が本サービスの対象品かどうかを判断する。そして、比較認証部３５は、記録再生装置１０から送信されてきた記録媒体ＩＤがデータベース内にあるとき、利用者が購入したパッケージメディア２が本サービスの対象品としてステップＳ４０に進み、記録再生装置１０から送信されてきた記録媒体ＩＤがデータベース内に無いとき、本サービスの対象外であると判断し、ステップＳ４３に進む。
【００９２】
ステップＳ４０において、比較認証部３５は、第３の記憶部３３に設けられている購入履歴のデータベースに記録再生装置１０から送信された利用者ＩＤを新規登録し、利用者ＩＤのパッケージメディア２の購入枚数をインクリメントする。そして、比較認証部３５は、更新された購入枚数に応じて第３の記憶部３３に設けられている購入者履歴のデータベースの減額フラグと課金データを更新する。そして、比較認証部３５は、該当する購入者（利用者）ＩＤの減額フラグを検出して、利用者が電子音楽配信のサービスを受けるときの課金データを生成する。すなわち、比較認証部３５は、記録再生装置１０から送信された利用者ＩＤに該当する利用者の課金データが無料であるか１０００円であるか２０００円であるかを選択する。
【００９３】
そして、ステップＳ４１において、サーバ装置３０は、記録再生装置１０から送信された利用者ＩＤをサーバ装置３０に新規登録し、電子音楽配信のサービスを受けるときの課金データ、パッケージメディア２の総購入枚数等の更新データを記録再生装置１０に送信する。ステップＳ４２において、記録再生装置１０は、サーバ装置３０からの更新通知を受信する。これにより、利用者は、電子音楽配信のサービスを受けるときの料金を知ることができる。
【００９４】
また、上述したステップＳ３５及びステップＳ３９で比較認証部３５が記録再生装置１０から送信されてきた記録媒体ＩＤがデータベース内に無く、本サービスの対象外であると判断すると、サーバ装置３０は、ステップＳ４３において、利用者が購入したパッケージメディア２が本サービスの対象外のパッケージメディア２であることを購入者に知らせるためのサービス対象外通知を記録再生装置１０に送信する。ステップＳ４４において、記録再生装置１０は、サーバ装置３０からのサービス対象外通知を受信する。これにより、利用者は、電子音楽配信のサービスを受けるときの割引を受けることができないことを知ることができる。
【００９５】
次に、電子音楽配信のサービスで記録再生装置１０でサーバ装置３０からオーディオデータをダウンロードするときの手順について、図１０を参照して説明する。
【００９６】
先ず、ステップＳ５１において、サーバ装置３０は、電子音楽配信を行うためのホームページをインターネット３上に公表する。ステップＳ５２において、記録再生装置１０は、光ディスク４の識別データ記録領域４ｄに記録されているＵＲＬ又は雑誌等の記事で知ったＵＲＬに従って、サーバ装置３０に開設されたホームページにアクセスする。サーバ装置３０は、ステップＳ５３において、記録再生装置１０からのアクセス要求を受信すると、記録再生装置１０に利用者ＩＤの入力要求を行う。ステップＳ５４において、記録再生装置１０は、サーバ装置３０からの入力要求を受信すると、入力要求の画面を表示部２４に表示する。記録再生装置１０は、利用者の操作に応じて又は自動的に記録再生装置１０の記憶部２１等に予め記憶されている利用者ＩＤをサーバ装置３０に送信する。
【００９７】
受信待機状にあるサーバ装置３０は、ステップＳ５５において、記録再生装置１０からの利用者ＩＤを受信すると、ステップＳ５６において、記録再生装置１０から送信された利用者ＩＤに基づいて、電子音楽配信の契約者かどうかの判断を行う。そして、サーバ装置３０は、認証が取れたとき、ステップＳ５７に進み、認証が取れなかったとき、処理を終了する。
【００９８】
ステップＳ５７において、サーバ装置３０は、電子音楽配信を行うことができるオーディオデータのリストを記録再生装置１０に送信する。記録再生装置１０は、ステップＳ５８において、サーバ装置３０からオーディオデータのリストを受信すると、表示部２４に表示する。
【００９９】
表示部２４に表示される画面は、図１１Ａに示すように、アーティスト毎に当該アーティストの曲名が表示されている。例えば、アーティスト「ＡＡＡ」には、このアーティストの曲、「ａ」、「ｂ」、「ｃ」、「ｄ」の曲名が表示されている。そして、各曲名の欄には、ダウンロードする曲を選択するための選択チェック欄が設けられている。なお、図１１Ａに示す例では、アーティスト「ＡＡＡ」の曲「ｂ」が選択されている。また、この画面には、下方に、選択したオーディオデータを示す選択信号をサーバ装置３０に送信するための送信釦が設けられている。
【０１００】
また、この画面は、図１１Ｂに示すように構成したものであってもよい。この画面は、アーティストがジャンル別に分類されており、ジャンル別に分類されたアーティスト毎に当該アーティストの曲名が表示されている。例えば、アーティスト「ＡＡＡ」には、このアーティストの曲、「ａ」、「ｂ」、「ｃ」、「ｄ」の曲名が表示されている。そして、各曲名の欄には、ダウンロードする曲を選択するための選択チェック欄が設けられている。なお、図１１Ａに示す例では、アーティスト「ＡＡＡ」の曲「ｄ」とアーティスト「ＣＣＣ」の曲「ｊ」が選択されている。また、この画面には、下方に、選択したオーディオデータを示す選択信号をサーバ装置３０に送信するための送信釦が設けられている。
【０１０１】
ステップＳ５９において、入力操作部２３を構成するマウスやキーボード等を用いることによって、利用者は、ダウンロードするオーディオデータを選択する。具体的に、図１１Ａ及び図１１Ｂに示すように、このオーディオデータの選択は、入力操作部２３を操作することによって選択チェック欄をチェックすることによって行われる。そして、利用者の操作によって送信釦が入力操作部２３によってクリックされると、記録再生装置１０は、ステップＳ６０において、利用者が選択したダウンロードするオーディオデータを選択した選択信号をサーバ装置３０に送信する。
【０１０２】
ステップＳ６１において、サーバ装置３０は、記録再生装置１０からの選択信号を受信すると、選択信号に対応したオーディオデータを第１の記憶部３１に記憶されている複数のオーディオデータの中から検索し、ステップＳ６２において、選択信号に対応する一又は複数のオーディオデータを記録再生装置１０に送信する。なお、ここで、サーバ装置３０が送信するオーディオデータは、暗号化されたデータである。
【０１０３】
受信待機状態にある記録再生装置１０は、ステップＳ６３において、サーバ装置３０から送信されたオーディオデータを受信すると、記憶部２１に記録し、ステップＳ６４において、利用者の操作に応じて、ダウンロードしたオーディオデータを再生する。具体的に記録再生装置１０の再生動作について説明すると、図４に示すように、再生釦が押されると、制御部２６は、選択されたオーディオデータを記憶部２１より読み出し、暗号解読回路１７に出力する。暗号解読回路１７は、予め記憶している暗号解読キーを用いることによって、オーディオデータの暗号を解読しＤ／Ａコンバータ１８に出力する。Ｄ／Ａコンバータ１８は、ディジタル信号をアナログ信号に変換し、スピーカ１９に出力する。かくして、利用者は、サーバ装置３０からダウンロードしたオーディオデータを再生することができる。
【０１０４】
次に、１曲オーディオデータをサーバ装置３０からダウンロードする度に、記録再生装置１０側で課金処理を行う例を図１２を参照して説明する。
【０１０５】
先ず、ステップＳ７１において、記録再生装置１０は、光ディスク４の識別データ記録領域４ｄに記録されているＵＲＬに従って、サーバ装置３０に開設されたホームページにアクセスする。サーバ装置３０は、記録再生装置１０からのアクセス要求を受信すると、ステップＳ７２において、記録再生装置１０に利用者ＩＤの入力要求を行う。ステップＳ７３において、記録再生装置１０は、サーバ装置３０からの入力要求を受信すると、入力要求の画面を表示部２４に表示し、利用者の操作に応じて又は自動的に記録再生装置１０の記憶部２１等に予め記憶されている利用者ＩＤをサーバ装置３０に送信する。
【０１０６】
受信待機状態にあるサーバ装置３０は、ステップＳ７４において、記録再生装置１０からの利用者ＩＤを受信すると、ステップＳ７５において、記録再生装置１０から送信された利用者ＩＤに基づいて、電子音楽配信の契約者かどうかの判断を行う。そして、サーバ装置３０は、認証が取れたとき、ステップＳ７６に進み、認証通知を記録再生装置１０に送信し、認証が取れなかったとき、処理を終了する。
【０１０７】
ステップＳ７７において、受信待機状態にある記録再生装置１０は、サーバ装置３０から送信された認証通知を受信すると、次いで、ステップＳ７８において、自分のパッケージメディア２を購入した履歴データの取得要求を送信する。ステップＳ７９において、サーバ装置３０は、記録再生装置１０からの履歴データの取得要求を受信すると、第３の記憶部３３に設けられているデータベースの中から該当する利用者ＩＤを抽出し、この利用者の履歴データを送信する。具体的には、上記表４に示すように、パッケージメディア２の購入枚数を送信する。なお、ここで、サーバ装置３０は、パッケージメディア２の購入枚数に応じた減額フラグも購入枚数と共に送信するようにしてもよい。
【０１０８】
ステップＳ８０において、記録再生装置１０は、サーバ装置３０から送信された履歴データを受信すると、課金処理部２２に入力する。ここで、課金処理部２２は、利用者がオーディオデータをダウンロードしたとき課金される金額の割引データ等をパッケージメディア２の購入枚数に応じて生成する。
【０１０９】
次いで、記録再生装置１０は、図１２に示すフローチャートに従って、履歴データをダウンロードした後、図１３に示すように、オーディオデータをサーバ装置３０からダウンロードする。
【０１１０】
先ずステップＳ９１において、記録再生装置１０は、図１０に示すステップＳ５２，５４，５８，５９，６０の手順に従って、サーバ装置３０からダウンロードする一又は複数のオーディオデータを選択する。次いで、サーバ装置３０は、ステップＳ９２において、図１０に示すステップＳ５１，５３，５５，５６，５７，６１，６２の手順に従って、記録再生装置１０に記録再生装置１０によって選択された一又は複数のオーディオデータを送信する。
【０１１１】
ステップＳ９３において、記録再生装置１０は、サーバ装置３０から送信されたオーディオデータを受信すると、記憶部１１に保存する。ステップＳ９５において、記録再生装置１０は、課金処理部２２が記憶部２１に保存されたオーディオデータの曲数をカウントする。そして、課金処理部２２は、ダウンロードしたオーディオデータの曲数に応じて例えば一曲１００円で課金をし、これを記憶する。
【０１１２】
そして、ステップＳ９６において、ダウンロードしたオーディオデータを再生するときには、図４に示すように、再生釦が押されると、制御部２６が、選択されたオーディオデータを記憶部２１より読み出し、暗号解読回路１７に出力する。暗号解読回路１７は、予め記憶している暗号解読キーを用いることによって、オーディオデータの暗号を解読しＤ／Ａコンバータ１８に出力する。Ｄ／Ａコンバータ１８は、ディジタル信号をアナログ信号に変換し、スピーカ１９に出力する。かくして、利用者は、サーバ装置３０からダウンロードしたオーディオデータを再生することができる。
【０１１３】
ステップＳ９７において、記録再生装置１０は、所定期間、例えば１ヶ月経過したかどうかを判断し、所定期間を経過したとき、ステップＳ９８に進み、所定期間経過していないとき、ステップＳ９１からの処理を繰り返す。すなわち、記録再生装置１０は、月極でダウンロード曲数に応じた金額を算出する。
【０１１４】
ステップＳ９８において、記録再生装置１０は、所定期間におけるダウンロード曲数に応じた金額に、パッケージメディア２を購入したことによる割引データを反映させ、割引後の課金データをサーバ装置３０に送信する。そして、ステップＳ９９において、サーバ装置３０は、記録再生装置１０からの課金データを受信する。かくして、電子音楽配信のサービスを行っているサーバ装置３０の管理者は、利用者の課金データを知ることができる。
【０１１５】
なお、図１３に示す例では、記録再生装置１０側で１曲ダウンロードする度に課金処理を行うようにしているが、本発明では、１曲ダウンロードする度に行う課金処理を後述する図１８に示すように、サーバ装置３０側で行うようにしてもよい。
【０１１６】
上記図１３に示す例では、オーディオデータを記録再生装置１０にダウンロードし、記憶部２１に保存したときに課金処理を行う例を説明したが、記録再生装置１０は、図１４に示すように、オーディオデータの再生時に課金処理を行うようにしてもよい。
【０１１７】
先ずステップＳ１０１において、記録再生装置１０は、図１０に示すステップＳ５２，Ｓ５４，Ｓ５８，Ｓ５９，Ｓ６０の手順に従って、サーバ装置３０からダウンロードする一又は複数のオーディオデータを選択する。次いで、サーバ装置３０は、ステップＳ１０２において、図１０に示すステップＳ５１，Ｓ５３，Ｓ５５，Ｓ５６，Ｓ５７，Ｓ６１，Ｓ６２の手順に従って、記録再生装置１０に記録再生装置１０によって選択された一又は複数のオーディオデータを送信する。
【０１１８】
ステップＳ１０３において、記録再生装置１０は、サーバ装置３０から送信されたオーディオデータを受信すると、次いで、ステップＳＩ０４において、記憶部１１に保存する。そして、ステップＳ１０５において、ダウンロードしたオーディオデータを再生するときには、図４に示すように、再生釦が押されると、制御部２６が、選択されたオーディオデータを記憶部２１より読み出し、暗号解読回路１７に出力する。暗号解読回路１７は、予め記憶している暗号解読キーを用いることによって、オーディオデータの暗号を解読しＤ／Ａコンバータ１８に出力する。Ｄ／Ａコンバータ１８は、ディジタル信号をアナログ信号に変換し、スピーカ１９に出力する。かくして、利用者は、サーバ装置３０からダウンロードしたオーディオデータを再生することができる。
【０１１９】
ステップＳ１０６において、記録再生装置１０は、課金処理部２２が暗号解読回路１７でオーディオデータの暗号を解読した回数をカウントする。そして、課金処理部２２は、再生したオーディオデータの再生に応じて例えば一曲１００円で課金をし、これを記憶する。
【０１２０】
ステップＳ１０７において、記録再生装置１０は、所定期間、例えば１ヶ月経過したかどうかを判断し、所定期間を経過したとき、ステップＳ１０８に進み、所定期間経過していないとき、ステップＳ１０１からの処理を繰り返す。すなわち、記録再生装置１０は、所定期間内のダウンロードしたオーディオデータの再生回数に応じた金額を算出する。
【０１２１】
ステップＳ１０８において、記録再生装置１０は、所定期間におけるダウンロードしたオーディオデータの再生回数に応じた金額に、パッケージメディア２を購入したことによる割引データを反映させ、割引後の課金データをサーバ装置３０に送信する。そして、ステップＳ９９において、サーバ装置３０は、記録再生装置１０からの課金データを受信する。かくして、電子音楽配信のサービスを行っているサーバ装置３０の管理者は、利用者の課金データを知ることができる。
【０１２２】
なお、図１４に示す例では、記録再生装置１０側でダウンロードしたオーディオデータを再生、すなわち暗号解読する度に課金処理を行うようにしているが、本発明は、後述する図２０に示すように、例えばダウンロードしたオーディオデータの暗号解読キーを、該オーディオデータを再生しようとする度にサーバ装置３０から取得するようにし、サーバ装置３０が該暗号解読キーを記録再生装置１０に送信するときにサーバ装置３０側で課金処理を行うようにしてもよい。
【０１２３】
次に、以上のような記録再生システム１における決済処理方法について図１５を参照して説明する。
【０１２４】
サーバ装置３０は、第３の記憶部３３に、例えば１ヶ月、一定料金で契約している利用者についてはパッケージメディア２の購入枚数に応じた割引を反映させた課金データを記憶しており、また、１曲ダウンロードし記録再生装置１０の記憶部２１に記録した曲数分パッケージメディア２の購入枚数に応じた割引を反映させて課金する図１３のシステムでは記録再生装置１０から送信された課金データを記憶しており、再生回数分パッケージメディア２の購入枚数に応じた割引を反映させて課金する図１４のシステムでは記録再生装置１０から送信された課金データを記憶している。
【０１２５】
そして、サーバ装置３０は、ステップＳ１１１において、所定期間、例えば１ヶ月経過したかどうかを判断し、所定期間を経過したとき、ステップＳ１１２に進み、所定期間を経過していないとき、ステップＳ１１１を繰り返す。次いで、サーバ装置３０は、ステップＳ１１２において、サーバＩＤと共に課金サーバ装置６０にアクセス要求を行う。アクセス要求受信待機状態にある課金サーバ装置６０は、ステップＳ１１３において、アクセス要求を受信すると、サーバ装置３０から送信されたサーバＩＤに基づいて認証処理を行う。そして、課金サーバ装置６０は、認証が取れたとき、ステップＳ１１５に進み、認証が取れなかったとき、ステップＳ１１６に進む。
【０１２６】
ここで、記録再生装置１０の所有者である利用者は、予め本システムのサービス用に口座を指定しており、課金サーバ装置６０は、口座に対応して利用者用鍵を記憶している。したがって、認証が取れたとき、課金サーバ装置６０は、ステップＳ１１５において、サーバ装置３０に利用者用鍵を送信する。
【０１２７】
また、ステップＳ１１４において、認証が取れなかったとき、課金サーバ装置６０は、サーバ装置３０に非認証信号を送信し、サーバ装置３０の管理者、すなわち本システムの管理者に認証が取れなかったことを知らせるとともにサーバ装置の処理も終了する。
【０１２８】
ステップＳ１１７において、サーバ装置３０は、利用者用鍵を受信したかどうかを判断し、受信したとき、ステップＳ１１７に進み、受信しなかったとき、ステップＳ１１７を繰り返す。又は、図示しないが、口座用鍵の再送信を課金サーバ装置に要求し、ステップ１１７を繰り返すようにしてもよい。ステップＳ１１８において、サーバ装置３０は、利用者用鍵と共に課金データを課金サーバ装置６０に送信する。
【０１２９】
受信待機状態にある課金サーバ装置６０は、ステップＳ１１９において、サーバ装置３０からの利用者用鍵と課金データを受信すると、ステップＳ１２０において、サーバ装置３０からの利用者に対する課金データに基づいてデータベースの更新、すなわち日付、入出金履歴、残金等の更新を行う。
【０１３０】
すなわち、課金サーバ装置６０は、サーバ装置３０からの課金データに基づいて、利用者の口座データの減額処理を行い、また、サーバ装置３０の管理者の口座データにこの分の振込処理を行う。
【０１３１】
以上のようなデータ記録再生システム１では、パッケージメディア２の購入数に応じて、レコード会社が行う電子音楽配信のサービスを受ける際の割引を受けることができることから、パッケージメディア２の購入者を電子音楽配信のサービスに呼び込むことができ、また、電子音楽配信の利用者にパッケージメディア２の購入を促すことができる。したがって、データ記録再生システム１では、パッケージメディア２の市場の活性化を図りつつ電子音楽配信の市場の活性化を図ることができる。
【０１３２】
以上の例では、電子音楽配信のサービスを受ける利用者に課金処理を施す例を説明したが、本発明は、例えばパッケージメディア２を購入した利用者に限って、無料で、当該パッケージメディア２に関連するデータ、例えば当該パッケージメディア２のアーティストの新曲のオーディオデータの一部やインタビュー記事や画像データや映像データを無料で配信するサービスに適用することもできる。
【０１３３】
これを図１６に示すフローチャートを参照して説明すると、記録再生装置１０は、先ずステップＳ１２１において、購入したパッケージメディア２の光ディスク４の識別データ記録領域４ｄに記録されているＵＲＬに従って、サーバ装置３０に開設されたホームページにアクセスする。サーバ装置３０は、記録再生装置１０からのアクセス要求を受信すると、ステップＳ１２２において、記録再生装置１０に利用者ＩＤと記録媒体ＩＤの入力要求を行う。ステップＳ１２３において、記録再生装置１０は、サーバ装置３０からの入力要求を受信すると、入力要求の画面を表示部２４に表示し、利用者の操作に応じて又は自動的に記録再生装置１０の記憶部２１等に予め記憶されている利用者ＩＤと記録媒体ＩＤをサーバ装置３０に送信する。
【０１３４】
受信待機状態にあるサーバ装置３０は、ステップＳ１２４において、記録再生装置１０からの利用者ＩＤと記録媒体ＩＤを受信すると、ステップＳ１２５において、記録再生装置１０から送信された利用者ＩＤと記録媒体ＩＤに基づいて、第２の記憶部３２の光ディスク４のデータベースに記録再生装置１０から送信された記録媒体ＩＤがあるかどうか判断すると共に、第３の記憶部３３のパッケージメディア２の購入履歴のデータベースに利用者ＩＤがあるかどうかの認証を行う。すなわち、このステップで、サーバ装置３０は、パッケージメディア２を購入した利用者の記録再生装置１０のみにパッケージメディア２の関連データを配信するように認証処理を行う。そして、サーバ装置３０は、認証が取れるとステップＳ１２６に進み、認証通知を記録再生装置１０に送信し、認証が取れなかったとき処理を終了し、パッケージメディア２に関連するデータを記録再生装置１０に配信しないように処理を終了する。
【０１３５】
ステップＳ１２７において、記録再生装置１０は、認証通知を受信すると、次いで、ステップＳ１２８において、パッケージメディア２に関連するデータのダウンロード要求をサーバ装置３０に送信する。サーバ装置３０は、ステップＳ１２９において、記録再生装置１０からのダウンロード要求を受信すると、次いで、当該パッケージメディア２に関連するデータを記録再生装置１０に送信する。ステップＳ１３０において、記録再生装置１０は、サーバ装置３０から送信されたデータを受信すると、記憶部２１に保存する。ステップＳ１３１において、ダウンロードしたデータを再生するとき、記録再生装置１０は、利用者による入力操作部２３の操作に応じて制御部２６が記憶部２１より当該データを読み出す。このデータがオーディオデータであるとき、このデータは、暗号化されていると暗号処理回路１７に出力され、暗号化されていないとＤ／Ａコンバータ１８に出力される。そして、暗号処理回路１７で暗号解読されたデータは、Ｄ／Ａコンバータ１８に出力される。Ｄ／Ａコンバータ１８は、暗号処理回路１７又は記憶部２１から入力されたオーディオデータをスピーカ１９に出力し、スピーカ１９は、電気音響変換して出力する。また、ダウンロードしたデータが画像データやインタビュー記事等のデータであるときには、制御部２６は、表示部２４にこれらのデータを表示する。以上のようなシステムでは、パッケージメディア２の購入履歴をサーバ装置３０で管理することで、パッケージメディア２を購入した利用者にのみ特別なサービスを提供することができる。
【０１３６】
以上、図１６に示す例では、パッケージメディア２に関連するデータのダウンロードを制限する例を説明したが、図１７に示すように、当該データの再生を制限するシステムにしてもよい。
【０１３７】
記録再生装置１０は、先ずステップＳ１４１において、雑誌等に記載されているＵＲＬに従って、サーバ装置３０に開設されたホームページにアクセスする。そして、記録再生装置１０は、パッケージメディア２に関連するデータの選択を行い、この選択信号をサーバ装置３０に送信する。ステップＳ１４２において、サーバ装置３０は、記録再生装置１０からの選択信号を受信すると、これに対応したパッケージメディア２に対応するデータを暗号化して記録再生装置１０に送信する。ステップＳ１４３において、サーバ装置３０は、サーバ装置３０から送信されたパッケージメディア２に関連するデータを受信すると、このデータを記憶部２１に保存する。
【０１３８】
ステップＳ１４４において、記録再生装置１０は、利用者によって、パッケージメディア２に関連するデータの再生操作が行われたかどうかを判断し、行われたときステップＳ１４５に進み、行われていないときステップＳ１４４を繰り返す。ステップＳ１４５において、記録再生装置１０は、利用者に対して、該当するパッケージメディア２の記録媒体ＩＤと利用者ＩＤの入力をするための画面を表示部２４に表示する。そして、記録再生装置１０は、利用者によって記録媒体ＩＤｙと利用者ＩＤが入力されると、入力された記録媒体ＩＤと利用者ＩＤとをサーバ装置３０に送信する。
【０１３９】
ステップＳ１４６において、サーバ装置３０は、記録再生装置１０から送信された記録媒体ＩＤと利用者ＩＤとを受信すると、ステップＳ１４６において、記録再生装置１０から送信された利用者ＩＤと記録媒体ＩＤに基づいて、第２の記憶部３２の光ディスク４のデータベースに記録再生装置１０から送信された記録媒体ＩＤがあるかどうか判断すると共に、第３の記憶部３３のパッケージメディア２の購入履歴のデータベースに利用者ＩＤがあるかどうかの認証を行う。すなわち、このステップで、サーバ装置３０は、パッケージメディア２を購入した利用者の記録再生装置１０のみにパッケージメディア２の関連データを配信するように認証処理を行う。そして、サーバ装置３０は、認証が取れるとステップＳ１４８に進み、記録再生装置１０の記憶部２１に暗号化された状態で保存されているパッケージメディア２に関連するデータの暗号解読キーを記録再生装置１０に送信し、認証が取れなかったとき処理を終了し、パッケージメディア２に関連するデータを記録再生装置１０に配信しないように処理を終了する。
【０１４０】
記録再生装置１０は、ステップＳ１４９において、サーバ装置３０から送信された暗号解読キーを受信すると、ステップＳ１５０に進む。
【０１４１】
記録再生装置１０は、制御部２６を動作させることにより、記憶部２１から該当するパッケージメディア２に関連するデータを読み出す。そして、制御部２６は、このデータを暗号解読回路１７に出力する。ステップＳ１５０において、暗号解読回路１７は、サーバ装置３０から送信された暗号解読キーによって、該データの暗号を解読する。そして、暗号解読回路１７は、暗号解読したデータがオーディオデータであるとき、Ｄ／Ａコンバータ１８に出力し、Ｄ／Ａコンバータ１８は、スピーカ１９に出力する。かくして、新曲等のオーディオデータは、再生される。また、暗号解読したデータが画像データ等であるときには、暗号解読回路１７は、表示部２４に出力し、表示部２４は、これを表示する。以上のようなシステムによっても、パッケージメディア２の購入履歴をサーバ装置３０で管理することで、パッケージメディア２を購入した利用者にのみ特別なサービスを提供することができる。
【０１４２】
ところで、以上説明した例では、電子音楽配信の利用者のパッケージメディア２の購入履歴、すなわちパッケージメディア２の購入枚数を元に電子音楽配信の料金を減額することで、利用者のパッケージメディア２の購入を促し、また、電子音楽配信の利用を促す例を説明した。更に、本発明は、電子音楽配信の利用者の利用頻度に応じてパッケージメディア２を購入する際の割引データを生成するようにすることで、利用者のパッケージメディア２の購入を促し、また、電子音楽配信の更なる利用促進を図るようにすることもできる。
【０１４３】
例えば、図１８に示すように、先ず、ステップＳ１６１において、サーバ装置３０は、電子音楽配信を行うためのホームページをインターネット３上に公表する。ステップＳ１６２において、記録再生装置１０は、雑誌等の記事で知ったＵＲＬに従って、サーバ装置３０に開設されたホームページにアクセスする。サーバ装置３０は、記録再生装置１０からのアクセス要求を受信すると、ステップＳ１６３において、記録再生装置１０に利用者ＩＤの入力要求を行う。ステップＳ１６４において、記録再生装置１０は、サーバ装置３０からの入力要求を受信すると、入力要求の画面を表示部２４に表示する。記録再生装置１０は、利用者の操作に応じて予めサーバ装置３０に登録されている利用者ＩＤをサーバ装置３０に送信する。
【０１４４】
受信待機状態にあるサーバ装置３０は、ステップＳ１６５において、記録再生装置１０からの利用者ＩＤを受信すると、ステップＳ１６６において、記録再生装置１０から送信された利用者ＩＤに基づいて、電子音楽配信の契約者かどうかの判断を行う。そして、サーバ装置３０は、認証が取れたとき、ステップＳ１６７に進み、認証が取れなかったとき、ステップＳ１６３に戻り、再度、利用者ＩＤの入力要求を行う。
【０１４５】
ステップＳ１６７において、サーバ装置３０は、電子音楽配信を行うことができるオーディオデータのリストを記録再生装置１０に送信する。記録再生装置１０は、ステップＳ１６８において、サーバ装置３０からオーディオデータのリストを受信すると、前述した図１１Ａ及び図１１Ｂに示すように、表示部２４に表示する。そして、ステップＳ１６９において、入力操作部２３を構成するマウスやキーボード等を用いることによって、利用者は、ダウンロードするオーディオデータを選択する。そして、利用者の操作によって送信釦が入力操作部２３によってクリックされると、記録再生装置１０は、ステップＳ１７０において、利用者が選択したダウンロードするオーディオデータを選択した選択信号をサーバ装置３０に送信する。
【０１４６】
ステップＳ１７１において、サーバ装置３０は、記録再生装置１０からの選択信号を受信すると、選択信号に対応したオーディオデータを第１の記憶部３１に記憶されている複数のオーディオデータの中から検索し、ステップＳ１７２において、選択信号に対応する一又は複数のオーディオデータを記録再生装置１０に送信する。
【０１４７】
受信待機状態にある記録再生装置１０は、ステップＳ１７３において、サーバ装置３０から送信されたオーディオデータを受信すると、記憶部２１に記録し、ステップ１７４において、利用者の操作に応じて、ダウンロードしたオーディオデータを再生する。
【０１４８】
一方、サーバ装置３０は、ステップＳ１７２でオーディオデータを記録再生装置２０に送信すると、次いで、ステップＳ１７５において、オーディオデータの送信を行った利用者ＩＤの送信曲数をインクリメントする。そして、サーバ装置３０は、ステップＳ１７６において、所定期間、例えば１ヶ月経過したかどうかを判断する。そして、サーバ装置３０は、所定期間を経過すると、ステップＳ１７７に進み、所定期間を経過していないとき、ステップＳ１７６を繰り返す。
【０１４９】
そして、ステップＳ１７７において、所定期間内における利用者ＩＤ毎の全送信曲数に応じて課金処理を行う。また、このステップで、サーバ装置３０は、所定期間内における全送信曲数が多くなるに連れてパッケージメディア２を購入する際の割引率が大きくなるような割引データを生成する。そして、サーバ装置３０は、ステップＳ１７８において、課金データを課金サーバ装置６０に送信し、割引データを、記録再生装置１０に送信する。
【０１５０】
ステップＳ１７９において、記録再生装置１０がサーバ装置３０からの割引データを受信すると、利用者は、パッケージメディア２を購入する際割引を受けることができることを知ることができる。例えば、利用者は、この割引データを記録再生装置１０に接続されたプリンタ装置より紙に出力し、これをパッケージメディア２を購入する際にパッケージメディア２の販売店に提示することで、パッケージメディア２の料金の割引を受けることができる。
【０１５１】
なお、以上の例でサーバ装置３０が生成する課金データや割引データは、上記図１３に示すように、記録再生装置１０側で生成するようにしてもよい。
【０１５２】
以上、サーバ装置３０から記録再生装置１０に送信された割引データを紙に出力し割引券とし、パッケージメディア２を購入する際にこの割引券をパッケージメディア２の販売店に提示することによってパッケージメディア２の料金の割引を受けることができる例を説明したが、次に説明するように、パッケージメディア２を購入しに来た利用者の割引データをパッケージメディア２の販売店が確認するようにしてもよい。
【０１５３】
すなわち、図１９に示すように、利用者が販売店を訪れ所望のパッケージメディア２を選択し会計を行うとき、先ずステップＳ１８１において、端末装置５０は、店員が入力操作部５５を操作することによってサーバ装置３０のＵＲＬを入力すると、サーバ装置３０にアクセスする。ステップＳ１８２において、サーバ装置３０は、端末装置５０からのアクセス要求を受信すると、端末装置５０にパッケージメディア２のサーバ装置３０に予め登録してある販売店ＩＤの入力要求を端末装置５０に送信する。
【０１５４】
端末装置５０は、サーバ装置３０からの販売店ＩＤの入力要求を受信すると、表示部５６に、販売店ＩＤを入力するための画面を表示する。そして、ステップＳ１８３において、端末装置５０には、販売店の店員等により入力操作部５５を構成するマウス等で購入者（利用者）ＩＤと記録媒体ＩＤの入力欄が指定され、キーボード等が操作されることによって販売店ＩＤが入力される。そして、端末装置５０は、店員等によって送信操作が行われるとＴＣＰ／ＩＰ等の伝送プロトコルが実行され、販売店ＩＤをサーバ装置３０に送信する。
【０１５５】
受信待機状態にあるサーバ装置３０は、ステップＳ１８４において、端末装置５０からの販売店ＩＤを受信すると、ステップＳ１８５において、端末装置５０から送信された販売店ＩＤに基づいて、電子音楽配信の契約者かどうかの判断を行う。そして、サーバ装置３０は、認証が取れたとき、ステップＳ１８６に進み、認証が取れなかったとき、ステップＳ１８２に戻り、再度、販売店ＩＤの入力要求を行う。
【０１５６】
サーバ装置３０は、販売店ＩＤの認証が取れると、ステップＳＩ８６において、端末装置５０に、パッケージメディア２を購入しようとする利用者の利用者ＩＤの入力要求を行う。端末装置５０は、サーバ装置３０からの利用者ＩＤの入力要求を受信すると、表示部５６に、販売店ＩＤを入力するための画面を表示し、ステップＳ１８７において、販売店の店員等の操作により利用者ＩＤが入力される。そして、端末装置５０は、店員等によって送信操作が行われると利用者ＩＤをサーバ装置３０に送信する。
【０１５７】
ステップＳ１８８において、サーバ装置３０は、利用者ＩＤを受信すると、次いで、ステップＳ１８９において、端末装置５０から送信された利用者ＩＤを電子音楽配信のサービスを受けている利用者のデータベースの中で検索する。そして、サーバ装置３０は、端末装置５０から送信された利用者ＩＤがデータベース内にあるとき、ステップＳ１９０に進み、端末装置５０から送信された利用者ＩＤがデータベース内に無いとき、ステップＳ１９２に進む。
【０１５８】
ステップＳ１９０において、サーバ装置３０は、検索した利用者ＩＤの割引データを端末装置５０に送信する。ステップＳ１９１において、端末装置５０がこの割引データを受信することで、販売店の店員は、利用者が購入しようとしているパッケージメディア２の料金割引を行うことを知ることができる。
【０１５９】
また、ステップＳ１９２において、サーバ装置３０は、端末装置５０に割引無し通知を送信する。ステップＳ１９３において、端末装置５０がこの割引無し通知を受信することで、販売店の店員は、利用者が購入しようとしているパッケージメディア２の料金を割り引く必要が無いことを知ることができる。以上のように、この例では、利用者が販売店でパッケージメディア２を購入しようとするとき、販売店が端末装置５０を介してパッケージメディア２の料金割引を確認する用にしていることから、図１８に示す例のように、利用者が記録再生装置２０に送信された割引データを紙に出力する必要が無くなり、利用者にとって便利なものとなる。
【０１６０】
上記図１８の例では、サーバ装置３０が記録再生装置１０にオーディオデータを送信した回数をカウントすることにより割引データを生成する例を説明したが、図２０に示すように、暗号解読キーをダウンロードしたときに割引データを生成するようにしてもよい。
【０１６１】
すなわち、図２０に示すように、先ず、ステップＳ２０１において、サーバ装置３０は、電子音楽配信を行うためのホームページをインターネット３上に公表する。ステップＳ２０２において、記録再生装置１０は、雑誌等の記事で知ったＵＲＬに従って、サーバ装置３０に開設されたホームページにアクセスする。サーバ装置３０は、記録再生装置１０からのアクセス要求を受信すると、ステップＳ２０３において、電子音楽配信を行うことができるオーディオデータのリストを記録再生装置１０に送信する。記録再生装置１０は、ステップＳ２０４において、サーバ装置３０からオーディオデータのリストを受信すると、前述した図１１Ａ及び図１１Ｂに示すように、表示部２４に表示する。そして、入力操作部２３を構成するマウスやキーボード等を用いることによって、ステップＳ２０５において、利用者は、ダウンロードするオーディオデータを選択する。そして、利用者の操作によって送信釦が入力操作部２３によってクリックされると、記録再生装置１０は、ステップＳ２０６において、利用者が選択したダウンロードするオーディオデータを選択した選択信号をサーバ装置３０に送信する。
【０１６２】
ステップＳ２０７において、サーバ装置３０は、記録再生装置１０からの選択信号を受信すると、選択信号に対応したオーディオデータを複数のオーディオデータの中から検索し、ステップＳ２０８において、選択信号に対応する一又は複数のオーディオデータを暗号化して記録再生装置１０に送信する。
【０１６３】
サーバ装置３０は、ステップＳ２０９において、サーバ装置３０から送信されたオーディオデータを受信すると、このオーディオデータを保存する。ここで、ステップＳ２１０において、記録再生装置１０は、利用者によって、オーディオデータの再生操作が行われたかどうかを判断し、行われたときステップＳ２１１に進み、行われていないときステップＳ２１０を繰り返す。記録再生装置１０は、利用者に対して、利用者ＩＤの入力をするための画面を表示部２４に表示する。そして、記録再生装置１０は、ステップＳ２１１において、利用者によって利用者ＩＤが入力されると、入力された利用者ＩＤとをサーバ装置３０に送信する。
【０１６４】
ステップＳ２１２において、サーバ装置３０は、記録再生装置１０から送信された利用者ＩＤとを受信すると、ステップＳ２１３において、記録再生装置１０から送信された利用者ＩＤに基づいて、予め登録されている利用者ＩＤとの認証を行う。そして、サーバ装置３０は、認証が取れるとステップＳ２１４に進み、記録再生装置１０の記憶部２１に暗号化された状態で保存されているオーディオデータの暗号解読キーを記録再生装置１０に送信し、認証が取れなかったとき処理を終了する。
【０１６５】
記録再生装置１０は、ステップＳ２１５において、サーバ装置３０から送信された暗号解読キーを受信すると、ステップＳ２１６において、制御部２６を動作させることにより、記憶部２１からオーディオデータを読み出す。そして、制御部２６は、このオーディオデータを暗号解読回路１７に出力する。ステップＳ２１７において、暗号解読回路１７は、サーバ装置３０から送信された暗号解読キーによって、オーディオデータの暗号を解読する。そして、暗号解読回路１７は、暗号解読したオーディオデータをＤ／Ａコンバータ１８に出力し、Ｄ／Ａコンバータ１８は、スピーカ１９に出力する。かくして、サーバ装置３０からダウンロードしたオーディオデータは、再生される。
【０１６６】
一方、サーバ装置３０は、ステップＳ２１８で暗号解読キーを記録再生装置２０に送信すると、次いで、ステップＳ２１８において、暗号解読キーの送信を行った利用者ＩＤの暗号解読キーの送信回数をインクリメントする。そして、サーバ装置３０は、ステップＳ２１９において、所定期間、例えば１ヶ月経過したかどうかを判断する。そして、サーバ装置３０は、所定期間を経過すると、ステップＳ２２０に進み、所定期間を経過していないとき、ステップＳ２１９を繰り返す。
【０１６７】
そして、ステップＳ２２０において、所定期間内における利用者ＩＤ毎の暗号解読キーの送信回数、すなわち記録再生装置１０でのオーディオデータの再生回数に応じて課金処理を行う。また、このステップで、サーバ装置３０は、所定期間内における暗号解読キーの送信回数が多くなるに連れてパッケージメディア２を購入する際の割引率が大きくなるような割引データを生成する。そして、サーバ装置３０は、ステップＳ２２１において、課金データを課金サーバ装置６０に送信し、割引データを、記録再生装置１０に送信する。
【０１６８】
ステップＳ２２２において、記録再生装置１０がサーバ装置３０からの割引データを受信すると、利用者は、パッケージメディア２を購入する際割引を受けることができることを知ることができる。例えば、利用者は、この割引データを記録再生装置１０に接続されたプリンタ装置より紙に出力し、これをパッケージメディア２を購入する際にパッケージメディア２の販売店に提示することで、パッケージメディア２の料金の割引を受けることができる。なお、以上説明したシステムにおいても、上記図１９に示すように、販売店の端末装置５０でパッケージメディア２の購入しようとしている利用者の割引データを確認することもできる。
【０１６９】
なお、以上の例でサーバ装置３０が生成する課金データや割引データは、上記図１４に示すように、記録再生装置１０側で生成するようにしてもよい。
【０１７０】
以上、図１８乃至図２０に示すシステムでは、電子音楽配信の利用者の利用頻度に応じてパッケージメディア２を購入する際の割引データを生成するようにすることで、利用者のパッケージメディア２の購入を促し、また、電子音楽配信の更なる利用促進を図るようにすることもできる。
【０１７１】
なお、以上、光ディスク４のパッケージメディア２の割引を受けることができるデータ記録再生システム１について説明したが、記録媒体としては、磁気ディスク、光磁気ディスク等のディスクカートリッジや固体メモリを記録媒体に用いるＩＣカードであってもよい。また、パッケージメディアを構成する記録媒体に記録されたデータやインターネット３を介して電子配信するデータは、オーディオデータに限定されるものではなく、映像データやゲームソフト等であってもよい。また、光ディスク４は、必ずしも予めコンテンツデータが記録された再生専用の光ディスクである必要はなく、コンテンツデータが未記録のデータの記録可能な光ディスクであってもよい。
【産業上の利用可能性】
【０１７２】
本発明によれば、パッケージメディアの購入履歴を購入履歴記憶手段で管理しているので、パッケージメディアを購入した利用者にのみにコンテンツデータを記録再生するときの割引等特別なサービスを提供することができる。
【図面の簡単な説明】
【０１７３】
【図１】図１は、本発明が適用されたデータ記録再生システムで提供するサービスを説明する図である。
【図２】図２は、上記データ記録再生システムで提供されるサービスを説明するためのフローチャートである。
【図３】図３は、本サービスで電子音楽配信の料金の割引の対象となるパッケージメディアを構成する光ディスクの斜視図である。
【図４】図４は、図３に示す光ディスクの記録再生装置である。
【図５】図５は、電子音楽配信を行うサーバ装置のブロック図である。
【図６】図６は、パッケージメディアの販売店に設置される端末装置のブロック図である。
【図７】図７は、課金サーバ装置のブロック図である。
【図８】図８は、利用者が販売店で所望のパッケージメディアを購入したとき、販売店がサーバ装置に購入者ＩＤと記録媒体ＩＤをサーバ装置に送信し、サーバ装置に登録するまでの手順を説明するフローチャートである。
【図９】図９は、パッケージメディアの購入者が自分の所有する記録再生装置でサーバ装置にアクセスし購入者ＩＤと記録媒体ＩＤをサーバ装置に登録するまでの手順を説明するフローチャートである。
【図１０】図１０は、電子音楽配信で記録再生装置で所望のオーディオデータを選択し、ダウンロードするまでの手順を説明するフローチャートである。
【図１１】図１１Ａ及び図１１Ｂは、オーディオデータを選択する際、記録再生装置の表示部に表示される画面を説明する図である。
【図１２】図１２は、サーバ装置から記録再生装置に購入履歴をダウンロードする際の手順を説明するためのフローチャートである。
【図１３】図１３は、記録再生装置にダウンロードしたオーディオデータを記録した際に課金を行うシステムを説明するためのフローチャートである。
【図１４】図１４は、記録再生装置にダウンロードしたオーディオデータを再生した回数に応じて課金を行うシステムを説明するためのフローチャートである。
【図１５】図１５は、決済処理方法を説明するフローチャートである。
【図１６】図１６は、パッケージメディアの購入者に限ってこのパッケージメディアに関連するデータの配信を行うシステムを説明するフローチャートである。
【図１７】図１７は、パッケージメディアの購入者に限ってこのパッケージメディアに関連するデータの配信を行うシステムの他の例を説明するフローチャートである。
【図１８】図１８は、電子音楽配信の利用者の利用頻度に応じてパッケージメディアを購入する際の割引データを生成するシステムを説明するフローチャートである。
【図１９】図１９は、販売店の端末装置で利用者の割引データを確認する際の手順を説明するフローチャートである。
【図２０】図２０は、電子音楽配信の利用者の利用頻度に応じてパッケージメディアを購入する際の割引データを生成するシステムの他の例を説明するフローチャートである。
【図１】
0004447836.tif 000006
【図２】
0004447836.tif 000007
【図３】
0004447836.tif 000008
【図４】
0004447836.tif 000009
【図５】
0004447836.tif 000010
【図６】
0004447836.tif 000011
【図７】
0004447836.tif 000012
【図８】
0004447836.tif 000013
【図９】
0004447836.tif 000014
【図１０】
0004447836.tif 000015
【図１１Ａ】
0004447836.tif 000016
【図１１Ｂ】
0004447836.tif 000017
【図１２】
0004447836.tif 000018
【図１３】
0004447836.tif 000019
【図１４】
0004447836.tif 000020
【図１５】
0004447836.tif 000021
【図１６】
0004447836.tif 000022
【図１７】
0004447836.tif 000023
【図１８】
0004447836.tif 000024
【図１９】
0004447836.tif 000025
【図２０】
0004447836.tif 000026